(57)【要約】  【課題】  作業場所の状況に拘わらず、従来に比較して安価で、正確に通信装置の在所を記憶することができる在所記憶システム、該在所記憶システムを構成する在所記憶装置、該在所記憶装置を実現するコンピュータプログラム、及び在所記憶方法を提供する。  【解決手段】  携帯電話機１は、所定の場所に設置されたモバイルスティック２を接続することにより、モバイルスティック２からスティックＩＤを取得する。携帯電話機１は、電話番号と取得したスティックＩＤを含む識別情報を在所記憶装置４へ送信する。在所記憶装置４は、受信した識別情報が予め記憶された識別情報と一致する場合は、携帯電話機１で作成された後に送信された携帯電話機１の在不在を示す在不在情報を受信するとともに、前記確認情報を受信した日時を検出する。在所記憶装置４は、受信した識別情報及び在不在情報並びに検出した日時を関連付けて記憶する。【選択図】      図１
2006172421.tif 000002
【特許請求の範囲】
【請求項１】
記録媒体に記録されており、該記録媒体を識別するための媒体識別情報と、通信装置に記録されており、該通信装置を識別するための通信装置識別情報とを含む識別情報を前記通信装置から送信し、送信された識別情報を受信し、受信した識別情報及び予め記憶された識別情報に基づいて前記記録媒体の在所に関連する前記通信装置の在所を記憶する在所記憶装置を備える在所記憶システムにおいて、
前記通信装置は、
前記記録媒体から媒体識別情報を取得する取得手段と、
前記記録媒体の在所における前記通信装置の在不在を示す在不在情報を作成する作成手段と、
前記在不在情報を前記在所記憶装置へ送信する送信手段と
を備え、
前記在所記憶装置は、
受信した識別情報が前記記憶された識別情報と一致するか否かを判定する判定手段と、
送信された在不在情報を受信する在不在情報受信手段と、
前記在不在情報を受信した日時を検出する検出手段と、
受信した識別情報及び在不在情報並びに検出した日時を関連付けて記憶する記憶手段と
を備えることを特徴とする在所記憶システム。
【請求項２】
前記在所記憶装置は、
受信した識別情報及び在不在情報並びに検出した日時を含む在所情報を生成する在所情報生成手段を備えることを特徴とする請求項１に記載の在所記憶システム。
【請求項３】
前記通信装置は、
画面を表示する画面表示手段と、
表示される画面を作成するための画面情報を受信する画面情報受信手段と
を備え、
前記記憶手段は、
前記通信装置に関連する属性を特定する属性情報を通信装置識別情報に関連付けて記憶してあり、
前記在所記憶装置は、
通信装置から受信した通信装置識別情報に基づいて属性情報を抽出する抽出手段と、
抽出した属性情報に基づいて、前記通信装置で表示される画面の画面情報を生成する画面情報生成手段と、
生成した画面情報を前記通信装置へ送信する画面情報送信手段と
を備え、
前記通信装置は、送信された画面情報に基づいて画面を表示するようにしてあることを特徴とする請求項１又は請求項２に記載の在所記憶システム。
【請求項４】
前記記憶手段は、
前記通信装置の在所を特定する場所情報を複数記憶してあり、
前記画面情報送信手段は、
場所情報を選択するための画面情報を通信装置へ送信するように構成してあり、
前記通信装置の送信手段は、
受信した画面情報に基づいて、選択した場所情報を前記在所記憶装置へ送信するように構成してあり、
前記記憶手段は、
前記通信装置から受信した場所情報と識別情報とを関連付けて記憶してあることを特徴とする請求項３に記載の在所記憶システム。
【請求項５】
前記記憶手段で記憶する識別情報を追加、変更又は削除する更新手段を備えることを特徴とする請求項１乃至請求項４のいずれかに記載の在所記憶システム。
【請求項６】
前記在所記憶装置は、
通信装置から受信した媒体識別情報を暗号化する暗号化手段と、
前記暗号化手段が暗号化した媒体識別情報を前記通信装置へ送信する媒体識別情報送信手段と
を備え、
前記通信装置は、
前記暗号化した媒体識別情報を受信する媒体識別情報受信手段と、
暗号化した媒体識別情報を表示する媒体識別情報表示手段と
を備え、
前記在所記憶装置は、
他の通信装置で入力された前記暗号化した媒体識別情報を受信する媒体識別情報受信手段と、
前記暗号化した媒体識別情報を復号する復号手段と
を備え、
前記判定手段は、
復号された媒体識別情報が予め記憶された媒体識別情報と一致するか否かを判定するように構成してあることを特徴とする請求項１乃至請求項５のいずれかに記載の在所記憶システム。
【請求項７】
前記記録媒体は、
前記通信装置から前記通信装置識別情報を取得する取得手段と、
取得した通信装置識別情報を記録する記録手段と
を備え、
前記通信装置の取得手段は、
前記記録媒体が記録した通信装置識別情報を取得するように構成してあることを特徴とする請求項１乃至請求項６のいずれかに記載の在所記憶システム。
【請求項８】
前記記録媒体は、
その都度異なる発信番号を生成する生成手段を備え、
前記通信装置の取得手段は、
前記生成手段が生成した発信番号を取得し、
前記通信装置の送信手段は、
取得した発信番号を識別情報とともに前記在所記憶装置へ送信するように構成してあり、
前記在所記憶装置の記憶手段は、
受信した発信番号及び識別情報を関連付けて記憶し、
前記判定手段は、
受信した発信番号と、受信した識別情報に関連付けて記憶してある発信番号とが一致するか否かを判定するように構成してあることを特徴とする請求項１乃至請求項７のいずれかに記載の在所記憶システム。
【請求項９】
前記記録媒体は、
前記通信装置と通信するための通信情報を記録してあり、
通信情報を追加、変更又は削除する更新手段を備えていることを特徴とする請求項１乃至請求項８のいずれかに記載の在所記憶システム。
【請求項１０】
前記記録媒体は、
前記通信装置が前記在所記憶装置と通信するための通信手段を備え、
前記通信装置は、前記通信手段に基づいて前記在所記憶装置と通信するようにしてあることを特徴とする請求項１乃至請求項９のいずれかに記載の在所記憶システム。
【請求項１１】
前記通信装置は、
第１の時間を計時する計時手段と、
前記媒体識別情報の取得を禁止する禁止手段と
を備え、
該禁止手段は、
前記第１の時間以内に、前記取得手段が媒体識別情報を取得しない場合に、該媒体識別情報の取得を禁止するようにしてあることを特徴とする請求項１乃至請求項６のいずれかに記載の在所記憶システム。
【請求項１２】
前記在所記憶装置は、
第２の時間を計時する計時手段と、
前記在不在情報の受信を禁止する禁止手段と
を備え、
該禁止手段は、
前記第２の時間以内に、前記在不在情報受信手段が在不在情報を受信しない場合に、該在不在情報の受信を禁止するようにしてあることを特徴とする請求項１乃至請求項６のいずれかに記載の在所記憶システム。
【請求項１３】
前記通信装置は、
第３の時間を計時する計時手段と、
前記在不在情報の作成を禁止する禁止手段と
を備え、
該禁止手段は、
前記第３の時間以内に、前記作成手段が在不在情報を作成しない場合に、該在不在情報の作成を禁止するようにしてあることを特徴とする請求項１乃至請求項６のいずれかに記載の在所記憶システム。
【請求項１４】
記録媒体に記録されており、該記録媒体を識別するための媒体識別情報と、通信装置に記録されており、該通信装置を識別するための通信装置識別情報とを含む識別情報を受信し、受信した識別情報及び予め記憶された識別情報に基づいて前記記録媒体の在所に関連する前記通信装置の在所を記憶する在所記憶装置において、
受信した識別情報が前記記憶された識別情報と一致するか否かを判定する判定手段と、
前記記録媒体の在所における前記通信装置の在不在を示す在不在情報を作成する作成手段と、
前記在不在情報を受信した日時を検出する検出手段と、
受信した識別情報及び在不在情報並びに検出した日時を関連付けて記憶する記憶手段と
を備えることを特徴とする在所記憶装置。
【請求項１５】
コンピュータに、記録媒体に記録されており、該記録媒体を識別するための媒体識別情報と、通信装置に記録されており、該通信装置を識別するための通信装置識別情報とを含む識別情報を受信し、受信した識別情報及び予め記憶された識別情報に基づいて前記記録媒体の在所に関連する前記通信装置の在所を記憶するためのコンピュータプログラムにおいて、
コンピュータを、
受信した識別情報が前記記憶された識別情報と一致するか否かを判定する判定手段と、
前記記録媒体の在所における前記通信装置の在不在を示す在不在情報を作成する作成手段と、
前記在不在情報を受信した日時を検出する検出手段と、
受信した識別情報及び在不在情報並びに検出した日時を関連付けて記憶する記憶手段として機能させることを特徴とするコンピュータプログラム。
【請求項１６】
記録媒体に記録されており、該記録媒体を識別するための媒体識別情報と、通信装置に記録されており、該通信装置を識別するための通信装置識別情報とを含む識別情報を前記通信装置から送信し、送信された識別情報を前記通信装置の在所を記憶する在所記憶装置で受信し、受信した識別情報及び予め記憶された識別情報に基づいて前記記録媒体の在所に関連する前記通信装置の在所を記憶する在所記憶方法において、
前記通信装置は、
前記記録媒体から媒体識別情報を取得し、
前記記録媒体の在所における前記通信装置の在不在を示す在不在情報を作成し、
作成した在不在情報を前記在所記憶装置へ送信し、
前記在所記憶装置は、
受信した識別情報が前記記憶された識別情報と一致するか否かを判定し、
送信された在不在情報を受信し、
前記在不在情報を受信した日時を検出し、
受信した識別情報及び在不在情報並びに検出した日時を関連付けて記憶することを特徴とする在所記憶方法。
【発明の詳細な説明】
【技術分野】
【０００１】
本発明は、所定の場所に設置された記録媒体に記録された媒体識別情報と、通信装置に記録され、該通信装置を識別する通信装置識別情報とを含む識別情報に基づいて、通信装置の在所を記憶する在所記憶システム、該在所記憶システムを構成する在所記憶装置、該在所記憶装置を実現するためのコンピュータプログラム、及び在所記憶方法に関する。
【背景技術】
【０００２】
正社員、派遣社員、アルバイトなどの従業員の勤務状況を正確に把握し、記録することは、労災保険法に対応するために必要不可欠である。しかし、建築現場又は工事現場などの作業現場、派遣先などでの勤務管理は、一般企業内での勤務管理と異なり、従業員の勤務実態を正確に記録することが困難な場合がある。
【０００３】
例えば、屋外の作業現場では、タイムレコーダなどの作業管理用の機器を設置することができない状況がある。また、作業者、監督者は、特定の作業現場で継続して作業する場合だけでなく、同一日でも複数の作業現場で作業する場合がある。
【０００４】
そこで、作業場所毎に、業務日誌、勤務管理表などを作成し、作業者などの出退勤を記入させることにより、勤務状況を記録することが行われていた。
【０００５】
また、作業者、監督者などにＩＣカードを配布し、作業現場に設置されたＩＣカードリーダでＩＣカードの内容を読み取ることにより、作業員などの出退勤を記録する方法も利用されていた。
【０００６】
また、派遣先に設置されたＩＤ付与済みの通信装置に派遣社員の携帯電話機を接続し、携帯電話機を介して出退勤データをサーバへ送信することにより、サーバで派遣社員の出勤時間、退勤時間を記録して、派遣社員の業務管理をする方法も提案されている（特許文献１参照）
【特許文献１】特開２００３−９１６２６号公報
【発明の開示】
【発明が解決しようとする課題】
【０００７】
しかしながら、作業場所毎に勤務管理表を作成し、作業者などに記録させる方法では、作業者の記録ミス、記録漏れが生じた場合に、誤りを正確に訂正することが困難であった。また、日々の勤務状況をリアルタイムで集計することができなかった。
【０００８】
また、ＩＣカードを使用する方法では、作業者全員に比較的高価なＩＣカードを配布する必要があるとともに、作業現場毎に高価なＩＣカードリーダを設置する必要があり、運用面での経費が割高になる問題があった。さらに、配布したＩＣカードの携行忘れ、ＩＣカードの配布ミス、臨時作業者へのＩＣカードの配布遅れ、ＩＣカードの不正使用などの問題もあった。
【０００９】
また、特許文献１の方法にあっては、通信装置を動作させるために商用電源を必要とするため、作業現場などの初期の工事段階などで商用電源が利用できない状況では、勤務管理を行うことができなかった。
【００１０】
本発明は、斯かる事情に鑑みてなされたものであり、通信装置は、通信装置識別情報と所定の場所に設置した記録媒体から取得した媒体識別情報とを含む識別情報、及び前記記録媒体の在所における前記通信装置の在不在を示す在不在情報を在所記憶装置へ送信する送信手段を備え、前記在所記憶装置は、送信された在不在情報を受信する在不在情報受信手段と、前記在不在情報を受信した日時を検出する検出手段と、受信した識別情報及び在不在情報並びに検出した日時を関連付けて記憶する記憶手段とを備えることにより、作業場所の状況に拘わらず、従来に比較して安価で、正確に通信装置の在所を記憶することができる在所記憶システム、該在所記憶システムを構成する在所記憶装置、該在所記憶装置を実現するコンピュータプログラム、及び在所記憶方法を提供することを目的とする。
【００１１】
また、本発明の他の目的は、受信した識別情報及び在不在情報並びに検出した日時を含む在所情報を生成する在所情報生成手段を備えることにより、通信装置の在所をリアルタイムで把握することができる在所記憶システムを提供することにある。
【００１２】
また、本発明の他の目的は、在所記憶装置が、通信装置から受信した通信装置識別情報に基づいて、予め記憶してある通信装置に関連する属性を特定する属性情報を抽出する抽出手段と、抽出した属性情報に基づいて、前記通信装置で表示される画面の画面情報を生成し、生成した画面情報を前記通信装置へ送信する送信手段とを備え、前記通信装置は、送信された画面情報を受信し、受信した画面情報に基づいて、画面を表示する画面表示手段とを備えることにより、通信装置に関連する属性に応じて通信装置で表示させる画面を変更することができ、通信装置を携帯するユーザの利便性を向上することができる在所記憶システムを提供することにある。
【００１３】
また、本発明の他の目的は、在所記憶装置が、通信装置の在所を特定する場所情報を選択するための画面情報を通信装置へ送信し、前記通信装置は選択した場所情報を前記在所記憶装置へ送信する。前記在所記憶装置は、送信された場所情報を受信し、受信した場所情報と識別情報とを関連付けて記憶してあることにより、記録媒体と該記録媒体が設置されている所定の場所とを対応付けることができ、一の場所で使用済になった記録媒体を他の場所で再度使用することができ、記録媒体を有効に利用することができる在所記憶システムを提供することにある。
【００１４】
また、本発明の他の目的は、識別情報を追加、変更又は削除する更新手段を備えることにより、実際の使用状態に合わせて識別情報を更新することができるとともに、記録媒体が盗難にあった場合でも、その使用を停止することができる在所記憶システムを提供することにある。
【００１５】
また、本発明の他の目的は、通信装置から受信した媒体識別情報を在所記憶装置で暗号化し、暗号化した媒体識別情報を前記通信装置へ送信し、他の通信装置で入力された前記暗号化した媒体識別情報を在所記憶装置で受信するように構成してあり、前記在所記憶装置は、受信した前記暗号化した媒体識別情報を復号し、復号した媒体識別情報が予め記憶された媒体識別情報と一致するか否かを判定するように構成してあることにより、媒体識別情報を取得することができない通信装置であっても、該通信装置から在所情報を記憶することができる在所記憶システムを提供することにある。
【００１６】
また、本発明の他の目的は、記録媒体が、通信装置から通信装置識別情報を取得し、取得した通信装置識別情報を記録する記録手段を備え、通信装置は、前記記録媒体が記録した通信装置識別情報を取得するように構成してあることにより、複数のユーザが同一時間帯に作業を開始又は終了する場合でも、一括して在不在情報を作成することができる在所記憶システムを提供することにある。
【００１７】
また、本発明の他の目的は、記録媒体が、その都度異なる発信番号を生成する生成手段を備え、生成された発信番号を通信装置で取得し、取得した発信番号を識別情報とともに在所記憶装置へ送信するように構成してあり、前記在所記憶装置は、受信した発信番号及び識別情報を関連付けて記憶し、受信した発信番号と、受信した識別情報に関連付けて記憶してある発信番号とが一致するか否かを判定するように構成してあることにより、記録媒体の不正使用を防止することができる在所記憶システムを提供することにある。
【００１８】
また、本発明の他の目的は、記録媒体が、通信装置と通信するための通信情報を記録してあり、通信情報を追加、変更又は削除する更新手段を備えていることにより、新たな通信装置に対応することができるとともに、記録媒体を有効利用することができる在所記憶システムを提供することにある。
【００１９】
また、本発明の他の目的は、記録媒体が、通信装置が在所記憶装置と通信するための通信手段を備えることにより、容易に在所記憶装置と通信することができる在所記憶システムを提供することにある。
【００２０】
また、本発明の他の目的は、第１の時間以内に媒体識別情報を取得しない場合に、該媒体識別情報の取得を禁止する禁止手段を備えることにより、不正なアクセスを防止することができる在所記憶システムを提供することにある。
【００２１】
また、本発明の他の目的は、第２の時間以内に在不在情報を受信しない場合に、該在不在情報の受信を禁止する禁止手段を備えることにより、不正なアクセスを防止することができる在所記憶システムを提供することにある。
【００２２】
また、本発明の他の目的は、第３の時間以内に在不在情報を作成しない場合に、該在不在情報の作成を禁止する禁止手段を備えることにより、不正なアクセスを防止することができる在所記憶システムを提供することにある。
【課題を解決するための手段】
【００２３】
第１発明に係る在所記憶システムは、記録媒体に記録されており、該記録媒体を識別するための媒体識別情報と、通信装置に記録されており、該通信装置を識別するための通信装置識別情報とを含む識別情報を前記通信装置から送信し、送信された識別情報を受信し、受信した識別情報及び予め記憶された識別情報に基づいて前記記録媒体の在所に関連する前記通信装置の在所を記憶する在所記憶装置を備える在所記憶システムにおいて、前記通信装置は、前記記録媒体から媒体識別情報を取得する取得手段と、前記記録媒体の在所における前記通信装置の在不在を示す在不在情報を作成する作成手段と、前記在不在情報を前記在所記憶装置へ送信する送信手段とを備え、前記在所記憶装置は、受信した識別情報が前記記憶された識別情報と一致するか否かを判定する判定手段と、送信された在不在情報を受信する在不在情報受信手段と、前記在不在情報を受信した日時を検出する検出手段と、受信した識別情報及び在不在情報並びに検出した日時を関連付けて記憶する記憶手段とを備えたことを特徴とする。
【００２４】
第２発明に係る在所記憶システムは、第１発明において、前記在所記憶装置は、受信した識別情報及び在不在情報並びに検出した日時を含む在所情報を生成する在所情報生成手段を備えたことを特徴とする。
【００２５】
第３発明に係る在所記憶システムは、第１発明又は第２発明において、前記通信装置は、画面を表示する画面表示手段と、表示される画面を作成するための画面情報を受信する画面情報受信手段とを備え、前記記憶手段は、前記通信装置に関連する属性を特定する属性情報を通信装置識別情報に関連付けて記憶してあり、前記在所記憶装置は、通信装置から受信した通信装置識別情報に基づいて属性情報を抽出する抽出手段と、抽出した属性情報に基づいて、前記通信装置で表示される画面の画面情報を生成する画面情報生成手段と、生成した画面情報を前記通信装置へ送信する画面情報送信手段とを備え、前記通信装置は、送信された画面情報に基づいて画面を表示するようにしてあることを特徴とする。
【００２６】
第４発明に係る在所記憶システムは、第３発明において、前記記憶手段は、前記通信装置の在所を特定する場所情報を複数記憶してあり、前記画面情報送信手段は、場所情報を選択するための画面情報を通信装置へ送信するように構成してあり、前記通信装置の送信手段は、受信した画面情報に基づいて、選択した場所情報を前記在所記憶装置へ送信するように構成してあり、前記記憶手段は、前記通信装置から受信した場所情報と識別情報とを関連付けて記憶してあることを特徴とする。
【００２７】
第５発明に係る在所記憶システムは、第１発明乃至第４発明のいずれかにおいて、前記記憶手段で記憶する識別情報を追加、変更又は削除する更新手段を備えたことを特徴とする。
【００２８】
第６発明に係る在所記憶システムは、第１発明乃至第５発明のいずれかにおいて、前記在所記憶装置は、通信装置から受信した媒体識別情報を暗号化する暗号化手段と、前記暗号化手段が暗号化した媒体識別情報を前記通信装置へ送信する媒体識別情報送信手段とを備え、前記通信装置は、前記暗号化した媒体識別情報を受信する媒体識別情報受信手段と、暗号化した媒体識別情報を表示する媒体識別情報表示手段とを備え、前記在所記憶装置は、他の通信装置で入力された前記暗号化した媒体識別情報を受信する媒体識別情報受信手段と、前記暗号化した媒体識別情報を復号する復号手段とを備え、前記判定手段は、復号された媒体識別情報が予め記憶された媒体識別情報と一致するか否かを判定するように構成してあることを特徴とする。
【００２９】
第７発明に係る在所記憶システムは、第１発明乃至第６発明のいずれかにおいて、前記記録媒体は、前記通信装置から前記通信装置識別情報を取得する取得手段と、取得した通信装置識別情報を記録する記録手段とを備え、前記通信装置の取得手段は、前記記録媒体が記録した通信装置識別情報を取得するように構成してあることを特徴とする。
【００３０】
第８発明に係る在所記憶システムは、第１発明乃至第７発明のいずれかにおいて、前記記録媒体は、その都度異なる発信番号を生成する生成手段を備え、前記通信装置の取得手段は、前記生成手段が生成した発信番号を取得し、前記通信装置の送信手段は、取得した発信番号を識別情報とともに前記在所記憶装置へ送信するように構成してあり、前記在所記憶装置の記憶手段は、受信した発信番号及び識別情報を関連付けて記憶し、前記判定手段は、受信した発信番号と、受信した識別情報に関連付けて記憶してある発信番号とが一致するか否かを判定するように構成してあることを特徴とする。
【００３１】
第９発明に係る在所記憶システムは、第１発明乃至第８発明のいずれかにおいて、前記記録媒体は、前記通信装置と通信するための通信情報を記録してあり、通信情報を追加、変更又は削除する更新手段を備えていることを特徴とする。
【００３２】
第１０発明に係る在所記憶システムは、第１発明乃至第９発明のいずれかにおいて、前記記録媒体は、前記通信装置が前記在所記憶装置と通信するための通信手段を備え、前記通信装置は、前記通信手段に基づいて前記在所記憶装置と通信するようにしてあることを特徴とする。
【００３３】
第１１発明に係る在所記憶システムは、第１発明乃至第６発明のいずれかにおいて、前記通信装置は、第１の時間を計時する計時手段と、前記媒体識別情報の取得を禁止する禁止手段とを備え、該禁止手段は、前記第１の時間以内に、前記取得手段が媒体識別情報を取得しない場合に、該媒体識別情報の取得を禁止するようにしてあることを特徴とする。
【００３４】
第１２発明に係る在所記憶システムは、第１発明乃至第６発明のいずれかにおいて、前記在所記憶装置は、第２の時間を計時する計時手段と、前記在不在情報の受信を禁止する禁止手段とを備え、該禁止手段は、前記第２の時間以内に、前記在不在情報受信手段が在不在情報を受信しない場合に、該在不在情報の受信を禁止するようにしてあることを特徴とする。
【００３５】
第１３発明に係る在所記憶システムは、第１発明乃至第６発明のいずれかにおいて、前記通信装置は、第３の時間を計時する計時手段と、前記在不在情報の作成を禁止する禁止手段とを備え、該禁止手段は、前記第３の時間以内に、前記作成手段が在不在情報を作成しない場合に、該在不在情報の作成を禁止するようにしてあることを特徴とする。
【００３６】
第１４発明に係る在所記憶装置は、記録媒体に記録されており、該記録媒体を識別するための媒体識別情報と、通信装置に記録されており、該通信装置を識別するための通信装置識別情報とを含む識別情報を受信し、受信した識別情報及び予め記憶された識別情報に基づいて前記記録媒体の在所に関連する前記通信装置の在所を記憶する在所記憶装置において、受信した識別情報が前記記憶された識別情報と一致するか否かを判定する判定手段と、前記記録媒体の在所における前記通信装置の在不在を示す在不在情報を作成する作成手段と、前記在不在情報を受信した日時を検出する検出手段と、受信した識別情報及び在不在情報並びに検出した日時を関連付けて記憶する記憶手段とを備えたことを特徴とする。
【００３７】
第１５発明に係るコンピュータプログラムは、コンピュータに、記録媒体に記録されており、該記録媒体を識別するための媒体識別情報と、通信装置に記録されており、該通信装置を識別するための通信装置識別情報とを含む識別情報を受信し、受信した識別情報及び予め記憶された識別情報に基づいて前記記録媒体の在所に関連する前記通信装置の在所を記憶するためのコンピュータプログラムにおいて、コンピュータを、受信した識別情報が前記記憶された識別情報と一致するか否かを判定する判定手段と、前記記録媒体の在所における前記通信装置の在不在を示す在不在情報を作成する作成手段と、前記在不在情報を受信した日時を検出する検出手段と、受信した識別情報及び在不在情報並びに検出した日時を関連付けて記憶する記憶手段として機能させることを特徴とする。
【００３８】
第１６発明に係る在所記憶方法は、記録媒体に記録されており、該記録媒体を識別するための媒体識別情報と、通信装置に記録されており、該通信装置を識別するための通信装置識別情報とを含む識別情報を前記通信装置から送信し、送信された識別情報を前記通信装置の在所を記憶する在所記憶装置で受信し、受信した識別情報及び予め記憶された識別情報に基づいて前記記録媒体の在所に関連する前記通信装置の在所を記憶する在所記憶方法において、前記通信装置は、前記記録媒体から媒体識別情報を取得し、前記記録媒体の在所における前記通信装置の在不在を示す在不在情報を作成し、作成した在不在情報を前記在所記憶装置へ送信し、前記在所記憶装置は、受信した識別情報が前記記憶された識別情報と一致するか否かを判定し、送信された在不在情報を受信し、前記在不在情報を受信した日時を検出し、受信した識別情報及び在不在情報並びに検出した日時を関連付けて記憶することを特徴とする。
【００３９】
第１発明、第１４発明、第１５発明及び第１６発明にあっては、通信装置は、所定の場所に設置された記録媒体から該記録媒体を識別する媒体識別情報を取得する。前記通信装置は、通信装置識別情報と取得した媒体識別情報とを含む識別情報を在所記憶装置へ送信する。前記在所記憶装置は、受信した識別情報が予め記憶された識別情報と一致するか否かを判定する。受信した識別情報と予め記憶された識別情報とが一致した場合は、前記記録媒体の在所における前記通信装置の在不在を示す在不在情報を前記通信装置で作成し、該通信装置は、作成した在不在情報を前記在所記憶装置へ送信し、前記在所記憶装置は、送信された在不在情報を受信するとともに、前記在不在情報を受信した日時を検出する。前記在所記憶装置は、受信した識別情報及び在不在情報並びに検出した日時を関連付けて記憶する。
【００４０】
第２発明にあっては、在所記憶装置は、受信した識別情報及び在不在情報並びに検出した日時を含む在所情報を生成する。
【００４１】
第３発明にあっては、在所記憶装置は、通信装置から受信した通信装置識別情報に基づいて、通信装置識別情報と関連付けて予め記憶された通信装置に関連する属性を特定する属性情報を抽出する。前記在所記憶装置は、抽出した属性情報に基づいて、前記通信装置で表示される画面の画面情報を生成し、生成した画面情報を前記通信装置へ送信する。該通信装置は、送信された画面情報を受信し、受信した画面情報に基づいて画面を表示する。
【００４２】
第４発明にあっては、在所記憶装置は、通信装置の在所を特定する場所情報を予め記憶してある。前記在所記憶装置は、場所情報を選択するための画面情報を通信装置へ送信する。通信装置は、受信した画面情報に基づいて、場所を選択するための画面を表示し、通信装置を携帯するユーザにより選択された場所情報を前記在所記憶装置へ送信する。該在所記憶装置は、受信した場所情報と識別情報とを関連付けて記憶する。これにより、媒体識別情報及び場所情報を関連付ける。
【００４３】
第５発明にあっては、更新手段は、識別情報を追加、変更又は削除する。
【００４４】
第６発明にあっては、在所記憶装置は、通信装置から受信した媒体識別情報を暗号化し、暗号化した媒体識別情報を前記通信装置へ送信する。該通信装置は、前記暗号化した媒体識別情報を表示する。表示された暗号化した媒体識別情報を他の通信装置で入力し、入力した暗号化した媒体識別情報を前記在所記憶装置へ送信する。該在所記憶装置は、前記暗号化した媒体識別情報を受信し、該暗号化した媒体識別情報を復号して媒体識別情報を抽出する。前記在所記憶装置は、抽出した媒体識別情報が予め記憶されている媒体識別情報と一致するか否かを判定する。
【００４５】
第７発明にあっては、記録媒体が、通信装置から通信装置識別情報を取得し、取得した通信装置識別情報を記録する。複数の通信装置夫々の通信装置識別情報を取得した場合、各通信装置識別情報を記録する。通信装置は、各通信装置識別情報が記録された記録媒体から、前記通信装置識別情報を取得する。
【００４６】
第８発明にあっては、記録媒体が、その都度異なる発信番号を生成する。通信装置は、前記記録媒体が生成した発信番号を取得し、取得した発信番号を識別情報とともに在所記憶装置へ送信する。前記在所記憶装置は、通信装置から送信された発信番号及び識別情報を受信し、受信した発信番号及び識別情報を関連付けて記憶してある。前記在所記憶装置は、通信装置から送信された発信番号及び識別情報を受信し、受信した発信番号と、受信した識別情報に関連付けて記憶してある発信番号とが一致するか否かを判定する。
【００４７】
第９発明にあっては、記録媒体が、通信装置と通信するための通信情報を記録してある。記録媒体と通信する通信装置を更新する場合は、記録媒体に記録された通信情報を更新する。
【００４８】
第１０発明にあっては、記録媒体が、通信装置が在所記憶装置と通信するための通信手段を備える。通信装置は、前記通信手段に基づいて前記在所記憶装置と通信をする。
【００４９】
第１１発明にあっては、計時手段は、例えば、前記取得手段が媒体識別情報を取得することができる時点で第１の時間を計時する。禁止手段は、前記第１の時間以内に、前記取得手段が媒体識別情報を取得したか否かを判定し、前記第１の時間以内に媒体識別情報を取得しない場合に、前記取得手段が媒体識別情報を取得することを禁止する。これにより、取得手段は、前記第１の時間以内であれば、媒体識別情報を正規のものとして取得し、前記第１の時間を経過した場合には、不正に取得される可能性があるとして、前記禁止手段は、媒体識別情報の取得を禁止する。
【００５０】
第１２発明にあっては、計時手段は、例えば、前記通信装置の送信手段が在不在情報を送信することができる時点で第２の時間を計時する。禁止手段は、前記第２の時間以内に、前記在不在情報受信手段が在不在情報を受信したか否かを判定し、前記第２の時間以内に在不在情報を受信しない場合に、前記在不在情報受信手段が在不在情報を受信することを禁止する。これにより、在不在情報受信手段は、前記第２の時間以内であれば、在不在情報を正規のものとして受信し、前記第２の時間を経過した場合には、不正に生成して送信される可能性があるとして、前記禁止手段は、在不在情報の受信を禁止する。
【００５１】
第１３発明にあっては、計時手段は、例えば、前記作成手段が在不在情報を作成することができる時点で第３の時間を計時する。禁止手段は、前記第３の時間以内に、前記作成手段が在不在情報を作成したか否かを判定し、前記第３の時間以内に在不在情報を作成しない場合に、前記作成手段が在不在情報を作成することを禁止する。これにより、作成手段は、前記第３の時間以内であれば、在不在情報を正規のものとして作成し、前記第３の時間を経過した場合には、不正に作成される可能性があるとして、前記禁止手段は、在不在情報の作成を禁止する。
【発明の効果】
【００５２】
第１発明、第１４発明、第１５発明及び第１６発明にあっては、媒体識別情報を記録した記録媒体を、所定の場所に設置しておくことにより、従来に比較して安価な構成で、作業場所の状況に拘わらず、通信装置の在所を記憶することができる。また、記録媒体の在所における通信装置の在不在を示す在不在情報を作成する作成手段を備えることにより、通信装置の在所を確実に確認することができる。また、前記在不在情報を受信した日時、及び識別情報を関連付けて記憶することにより、通信装置の在所を正確に記録することができる。
【００５３】
第２発明にあっては、リアルタイムで在所情報を把握することができる。
【００５４】
第３発明にあっては、通信装置に関連した属性に応じて、通信装置で表示させる画面の画面情報を生成することにより、作業者、監督者などの通信装置を携帯するユーザに応じて表示する画面を変更することができ、ユーザによる異なる処理を画面上で容易に操作することができる。また、ユーザに応じて、ユーザに対して伝達したいメッセージなどを変更することもでき、異なる場所で作業するユーザに対して必要な情報を確実に伝えることができるとともに、ユーザの利便性を向上することができる。
【００５５】
第４発明にあっては、記録媒体を所定の場所に設置し、該記録媒体を用いて場所情報を選択して該場所情報と媒体識別情報とを関連付けて記憶することにより、記録媒体と該記録媒体が設置された場所との関連付けを確実にすることができ、誤った場所に基づいて出退勤情報が生成されることを防止することができる。また、通信装置で場所情報を選択することにより、一の場所で使用済になった記録媒体を別の場所で使用することが容易になり、記録媒体を有効利用することができる。
【００５６】
第５発明にあっては、識別情報を追加、変更又は削除する更新手段を備えることにより、記録媒体が盗難にあった場合には、該記録媒体の識別情報を削除し、前記記録媒体の不正使用を未然に防止することができる。また、作業現場での作業が完了した場合には、記録媒体の使用場所を変更して、別の場所で前記記録媒体を再利用することができる。
【００５７】
第６発明にあっては、通信装置から受信した媒体識別情報を暗号化し、暗号化した媒体識別情報を他の通信装置から在所記憶装置へ送信し、該在所記憶装置で前記暗号化した媒体識別情報を復号し、復号した媒体識別情報を判定することにより、媒体識別情報を在所記憶装置へ送信する途中で、媒体識別情報が漏洩することを防止できる。また、記録媒体から媒体識別情報を取得することができる通信装置で確認された媒体識別情報を使用して、記録媒体から媒体識別情報を取得することができない他の通信装置から媒体識別情報を在所記憶装置へ送信することができ、前記他の通信装置の在所情報を記憶することができる。
【００５８】
第７発明にあっては、通信装置から取得した通信装置識別情報を記録媒体で記録し、記録した通信装置識別情報を通信装置で取得することにより、複数のユーザが同一時間帯に作業を開始又は終了する場合に、各ユーザが携帯する通信装置の通信装置識別情報を一旦記録媒体で記録し、通信装置で、前記記録媒体に記録された複数の通信装置の通信装置識別情報に基づいて一括して在不在情報を作成するとともに在所情報を記憶することができる。
【００５９】
第８発明にあっては、その都度異なる発信番号を生成し、生成した発信番号と識別番号を在所記憶装置へ送信し、該在所記憶装置は、受信した発信番号が、受信した識別情報に関連付けて記憶してある発信番号とが一致するか否かを判定することにより、記録媒体を不正に使用した場合、または記録媒体を使用せずに所定のＵＲＬに直接アクセスした場合を排除することができる。
【００６０】
第９発明にあっては、通信装置と通信するための通信情報を更新することにより、新機種の通信装置に対応した通信情報に更新することができ、記録媒体を新機種の通信装置でも使用することができ、記録媒体を有効に利用することができる。
【００６１】
第１０発明にあっては、記録媒体に備えられた通信手段に基づいて、通信装置は在所記憶装置と通信することにより、通信装置に通信手段を設ける必要がなく、容易に在所記憶装置と通信することができる。
【００６２】
第１１発明にあっては、第１の時間以内に媒体識別情報を取得しない場合に、該媒体識別情報の取得を禁止する禁止手段を備えることにより、不正に取得される可能性がある媒体識別情報の取得を禁止して、不正なアクススを防止することができる。
【００６３】
第１２発明にあっては、第２の時間以内に在不在情報を受信しない場合に、該在不在情報の受信を禁止する禁止手段を備えることにより、不正に生成、送信される可能性がある在不在情報の受信を禁止して、不正なアクススを防止することができる。
【００６４】
第１３発明にあっては、第３の時間以内に在不在情報を作成しない場合に、該在不在情報の作成を禁止する禁止手段を備えることにより、不正に作成される可能性がある在不在情報の作成を禁止して、不正なアクススを防止することができる。
【発明を実施するための最良の形態】
【００６５】
実施の形態１
以下、本発明を実施の形態を示す図面に基づいて説明する。図１は本発明の在所記憶システムの構成を示す説明図である。図において、１は建設現場、工事現場などの作業現場で作業をする作業者、監督者などのユーザが携帯する携帯電話機である。携帯電話機１は、図示しない無線ネットワーク、基地局装置、ゲートウェイ装置などを介して通信回線５に接続される。通信回線５には、携帯電話機（ユーザ）の在所記憶をする在所記憶装置４を接続してある。建築現場、工事現場などのユーザが作業をする作業現場Ａ、Ｂ、…には、所要の収納箱３に収納したモバイルスティック２を収納してある。
【００６６】
図２は携帯電話機１の構成を示すブロック図である。図において、１３は通信部である。通信部１３は、無線によるデータ通信機能と、音声信号とデジタル信号との変換を行う符号化復号化機能とを備え、データ通信機能を用いて通信回線５を介して在所記憶装置４との通信を行う。
【００６７】
表示部１４は液晶ディスプレイを備え、後述する記憶部１５に記憶されたブラウザ１５２が、在所記憶装置４から送信された画面情報を解釈することにより、所定の画面を表示する。操作部１６は、文字入力用の各種キーを備えている。
【００６８】
記憶部１５は、携帯電話機１を識別するための固有の電話番号１５１、ブラウザ１５２、在所記憶装置４とのデータの送受信を処理するＨＴＴＰ（Hyper Text Transfer Protocol）処理部１５３、通信回線５に接続されたメールサーバ（図示せず）を介して在所記憶装置４との間で電子メールの送受信を行う電子メール処理部１５４を記憶してある。
【００６９】
インタフェース部１２は、モバイルスティック２との通信処理を行う。モバイルスティック２を携帯電話機１に接続することにより、モバイルスティック２から所定の情報を取得し、取得した情報を一旦記憶部１５に記憶する。
【００７０】
制御部１１は、通信部１３、表示部１４、操作部１６、インタフェース部１２の動作を制御するとともに、記憶部１５への情報の書き込み、及び記憶部１５からの情報の読み出しを制御する。例えば、制御部１１は、記憶部１５に記憶されたブラウザ１５２をＲＡＭ１７に読み出すことにより、携帯電話機１を在所記憶装置４へアクセスするためのブラウザとして機能させる。ブラウザ１５２は、在所記憶装置４へアクセスする際に、在所記憶装置４に存在する画面情報を特定するＵＲＬを使ってアクセスをする。このＵＲＬは、ＨＴＴＰ（Hyper Text Transfer Protocol）プロトコルを示すスキーム名、在所記憶装置４に接続するための情報を示すドメイン名及び在所記憶装置４内の画面情報の位置を示すパス名から構成されている。
【００７１】
通信部１３で電子メールを受信する場合は、ＲＡＭ１７に電子メール処理部１５４が読み込まれる。電子メール処理部１５４は、電子メールの受信、該電子メール本文の自動閲覧、前記電子メール本文に添付されたＵＲＬへのアクセス、ブラウザ１５２の起動などを行うことが可能である。これにより、ＵＲＬが添付された電子メールを受信した携帯電話機１は、前記ＵＲＬで特定される情報を、画面に表示することができる。
【００７２】
通信部１３で電子メールを送信する場合は、ＲＡＭ１７に電子メール処理部１５４が読み込まれる。電子メール処理部１５４は、所要のデータを添付した電子メールを在所記憶装置４へ送信することができる。
【００７３】
図３はモバイルスティック２の構成を示すブロック図である。図において、２１はインタフェース部である。インタフェース部２１は、携帯電話機１との通信処理を行う。モバイルスティック２を携帯電話機１に接続することにより、モバイルスティック２から所定の情報を携帯電話機１へ送信する。
【００７４】
記憶部２３は、携帯電話機の機種と該機種に対応する通信パラメータを記憶した通信情報部２３１、モバイルスティック２を携帯電話機１に接続することにより、携帯電話機１を在所記憶装置４に接続するためのアクセス用ＵＲＬ２３２、携帯電話機１を在所記憶装置４に接続するための接続プログラム２３３、モバイルスティック２を携帯電話機１に接続して、携帯電話機１から在所記憶装置４へ電話番号及び後述するスティックＩＤなどの識別情報を送信完了する度に「１」だけ増加させて発信番号を生成する発信番号生成部２３４、モバイルスティック２に固有に割り当てられたスティックＩＤ２３５、携帯電話機１から取得した電話番号を記憶する電話番号リスト部２３６を備えている。発信番号生成部２３４で生成する発信番号の初期値は「１」である。
【００７５】
通信情報部２３１に記憶してある通信情報は、書き換え可能であり、情報書き換え装置（ライター）により、新機種などの携帯電話機に対応した通信パラメータを書き換えることができる。
【００７６】
制御部２２は、インタフェース部２１及び記憶部２３の動作を制御する。
【００７７】
図４は在所記憶装置４の構成を示すブロック図である。在所記憶装置４は、本発明のコンピュータプログラムＰＧを記録したＣＤ−ＲＯＭ４３１を駆動する記録部４３、コンピュータプログラムＰＧを一時的に記憶するＲＡＭ４２、通信回線５を介して携帯電話機１に接続するための通信部４５、マウス、キーボード、ディスプレイなどの入出力部４６、各種データベースを記憶する記憶部４４、及びコンピュータプログラムＰＧを実行するＣＰＵ４１を備えている。
【００７８】
記憶部４４は、作業者、監督者などのユーザに関するユーザ情報を記憶したユーザデータベース４４１、作業場所を特定する現場データベース４４２、モバイルスティック２の設置場所を特定するスティック設置データベース４４３、ユーザへの伝達事項を記憶した標語データベース４４４、及びユーザの在所情報を示す入出場データベース４４５を記憶してある。ＣＰＵ４１は、コンピュータプログラムＰＧの実行に伴って、これらの各種データベースにアクセスする。
【００７９】
在所記憶装置４は、ＣＤ−ＲＯＭ４３１に記録したコンピュータプログラムＰＧがＲＡＭ４２に読み込まれ、読み込まれたコンピュータプログラムＰＧをＣＰＵ４１で実行することにより、携帯電話機１からの要求に応じて、携帯電話機１の画面で表示させる情報をページ記述言語であるＣ−ＨＴＭＬ（Compact Hyper Text Markup Language）で記述されたＣ−ＨＴＭＬファイル（画面情報）として作成し、作成した画面情報を携帯電話機１へ送信する。これにより、携帯電話機１に備えられたブラウザが送信された画面情報を解析し画面上に所要の情報を表示する。
【００８０】
また、在所記憶装置４は、携帯電話機１から送信された情報を受信し、受信した情報に基づいて、記憶部４４に記憶された各種データベースにアクセスして、所要の処理を行う。
【００８１】
図５はユーザデータベース４４１のレコードレイアウトを示す説明図である。ユーザデータベース４４１は、携帯電話機１を携帯し、作業現場で作業をする作業者、監督者などのユーザを特定する情報を示す。ユーザデータベース４４１は、ユーザ毎に固有に割り当てられたユーザＩＤ、ユーザが所有する携帯電話機１の電話番号、ユーザの氏名を示すユーザ名、作業者、監督者、臨時作業者などに応じて職制の違いを示すユーザの権限（携帯電話機１に関連する属性）、ユーザが所属する管轄名（営業所名）の各欄により構成してある。これにより、携帯電話機１と携帯電話機１を携帯するユーザが対応付けられ、携帯電話機１の電話番号に基づいて、ユーザを識別することができる。
【００８２】
在所記憶システムの運用管理者は、予め在所記憶装置４の入出力部４６からユーザ毎の情報を登録し、ユーザデータベース４４１に記憶してある。また、在所記憶システムの運用管理者は、入出力部４６からユーザデータベース４４１にアクセスして登録したユーザ毎の情報を変更、削除することもできる。
【００８３】
図６は現場データベース４４２のレコードレイアウトを示す説明図である。現場データベース４４２は、建設現場、工事現場などの作業現場を特定する情報を示す。現場データベース４４２は、現場毎に固有に割り当てられた現場ＩＤ、現場の名称を示す現場名、現場の作業を管轄する管轄名（営業所名）の各欄により構成してある。
【００８４】
在所記憶システムの運用管理者は、予め在所記憶装置４の入出力部４６から現場毎の情報を登録し、現場データベース４４２に記憶してある。また、在所記憶システムの運用管理者は、入出力部４６から現場データベース４４２にアクセスして登録した現場毎の情報を変更、削除することもできる。
【００８５】
図７はスティック設置データベース４４３のレコードレイアウトを示す説明図である。スティック設置データベース４４３は、どの作業現場にどのモバイルスティックが設置されているかを示す。スティック設置データベース４４３は、スティックＩＤ、現場ＩＤ、スティックＩＤに対応する現場ＩＤが有効か無効かを示す有効情報、スティックＩＤと現場ＩＤとを関連付けて記憶した日時を示す更新日時の各欄により構成してある。
【００８６】
作業現場にモバイルスティックを配布し、該モバイルスティックを所定の収納場所に設置した後に、前記作業現場の監督者が所有する携帯電話機１を用いて、在所記憶装置４にアクセスすることにより、スティックＩＤと現場ＩＤとを関連付けてスティック設置データベース４４３登録する。作業現場での作業が完了した場合には、前記作業現場に配布されたモバイルスティックを回収し、回収したモバイルスティックを別の作業現場に配布し、同様の処理を行うことにより、モバイルスティックの設置状況を履歴情報としてスティック設置データベース４４３に記憶する。
【００８７】
また、在所記憶システムの運用管理者は、予め在所記憶装置４の入出力部４６から、配布したモバイルスティックのスティックＩＤと配布先の現場ＩＤを登録し、スティック設置データベース４４３に記憶することも可能である。さらに、在所記憶システムの運用管理者は、入出力部４６からスティック設置データベース４４３にアクセスして登録したスティックＩＤ毎の情報を変更、削除することもできる。
【００８８】
図８は標語データベース４４４のレコードレイアウトを示す説明図である。標語データベース４４４は、ユーザの所属する組織、管轄名（営業所名）、ユーザの権限などに応じて、各ユーザに伝達すべきメッセージ（標語）を定めたものである。標語データベース４４４は、ユーザが所属する組織、作業現場を管轄する管轄名（営業所名）、現場名、ユーザの権限、標語を伝達する頻度、伝達すべき標語を特定する標語ＩＤの各欄から構成してある。
【００８９】
在所記憶システムの運用管理者は、予め在所記憶装置４の入出力部４６から、組織、管轄名、現場名、ユーザの権限に応じて伝達すべき標語を登録し、標語データベース４４４に記憶してある。また、在所記憶システムの運用管理者は、入出力部４６から標語データベース４４４にアクセスして登録した標語を変更、削除することもできる。
【００９０】
図９は入出場データベース４４５のレコードレイアウトを示す説明図である。入出場データベース４４５は、作業者、監督者などのユーザが、どの作業現場において、いつ作業を開始し、いつ作業を終了したかを示す情報を記録したものである。入出場データベース４４５は、ユーザＩＤ、スティックＩＤ、現場ＩＤ、作業の開始又は終了を示す作業情報（作業場所における在不在情報）、作業開始又は作業終了時刻を示す日時、作業者本人、監督者本人、又は代行者が登録したかを示す登録方法、モバイルスティックから取得した発信番号、代行者により登録された場合の代行者ＩＤの各欄から構成してある。
【００９１】
在所記憶装置４は、携帯電話機１から送信されたスティックＩＤ、電話番号を受信し、受信した電話番号に基づいて、ユーザデータベース４４１にアクセスし、ユーザＩＤを抽出する。また、在所記憶装置４は、受信したスティックＩＤに基づいて、スティック設置データベース４４３にアクセスし、現場ＩＤを抽出する。在所記憶装置４は、抽出したユーザＩＤ、現場ＩＤとともに、受信した発信番号を入出場データベース４４５に記憶する。また、在所記憶装置４から携帯電話機１へ送信された画面情報に基づいて、在所記憶装置４は、携帯電話機１で生成した作業情報、該作業情報を受信した日時、本人又は代行者の別、代行者である場合は代行者ＩＤを入出場データベース４４５に記憶する。また、在所記憶システムの運用管理者は、入出力部４６から入出場データベース４４５にアクセスして記憶した情報を表示、出力することもできる。
【００９２】
次に、本発明に係る在所記憶システムの処理手順について説明する。図１０は識別情報の送信の手順を示すフローチャートである。ユーザが作業現場に設置されたモバイルスティック２を携帯電話機１に接続する（Ｓ１０１）。携帯電話機１は、モバイルスティック２の記憶部２３に記憶してある接続プログラム２３３を取得する（Ｓ１０２）。
【００９３】
携帯電話機１は、モバイルスティック２の記憶部２３に記憶してあるアクセス用ＵＲＬ２３２を取得し（Ｓ１０３）、スティックＩＤ２３５を取得する（Ｓ１０４）。携帯電話機１は、記憶部２３の発信番号生成部２３４が生成した発信番号を取得し（Ｓ１０５）、取得したスティックＩＤ２３５、発信番号、記憶部１５に記憶してある電話番号を在所記憶装置４へ送信し（Ｓ１０６）、処理を終了する。
【００９４】
ステップＳ１０６で携帯電話機１がスティックＩＤ２３５、発信番号、電話番号を在所記憶装置４へ送信した場合、モバイルスティック２は、発信番号生成部２３４で発信番号を「１」増加させて（Ｓ１０７）、処理を終了する。
【００９５】
図１１はユーザ認証の手順を示すフローチャートである。在所記憶装置４は、携帯電話機１が送信したスティックＩＤ、発信番号、電話番号を受信する（Ｓ２０１）。在所記憶装置４は、受信したスティックＩＤに基づいて、スティック設置データベース４４３にアクセスし、前記スティックＩＤに対応して有効な現場ＩＤが記憶されているか否か検索することにより、スティックＩＤが有効か否かを判定する（Ｓ２０２）。
【００９６】
スティックＩＤが有効でない場合は（Ｓ２０２でＮＯ）、在所記憶装置４は、エラーメッセージを作成し（Ｓ２０３）、作成したエラーメッセージを携帯電話機１へ送信し（Ｓ２０４）、処理を終了する。
【００９７】
一方、スティックＩＤが有効である場合は（Ｓ２０２でＹＥＳ）、在所記憶装置４は、スティックＩＤに基づいて、入出場データベース４４５にアクセスし、発信番号が過去に前記スティックＩＤに対応するモバイルスティック２から受信した番号か否か検索することにより、発信番号が有効か否かを判定する（Ｓ２０５）。
【００９８】
受信した発信番号が、記憶してある発信番号と一致する場合は、在所記憶装置４は、受信した発信番号は有効でないと判定し（Ｓ２０５でＮＯ）、ステップＳ２０３以降の処理を続ける。
【００９９】
一方、受信した発信番号が、記憶してある発信番号と一致しない場合は、在所記憶装置４は、受信した発信番号は有効であると判定し（Ｓ２０５でＹＥＳ）、受信した電話番号に基づいて、ユーザデータベース４４１にアクセスし、前記電話番号が記憶されているか否かを検索することにより、前記電話番号が有効か否かを判定する（Ｓ２０６）。
【０１００】
受信した電話番号が、記憶してある電話番号と一致する場合は、在所記憶装置４は、受信した電話番号は有効であると判定し（Ｓ２０６でＹＥＳ）、受信した電話番号に基づいて、ユーザデータベース４４１にアクセスし、ユーザの権限（属性）を抽出し、抽出した権限が有効か否かを判定する（Ｓ２０７）。
【０１０１】
一方、受信した電話番号が、記憶してある電話番号と一致しない場合は、在所記憶装置４は、受信した電話番号は有効でないと判定し（Ｓ２０６でＮＯ）、ユーザデータベース４４１に、暫定ユーザＩＤを登録してゲストユーザ（例えば、臨時作業者）の権限を付与し（Ｓ２０８）、ステップＳ２０７以降の処理を続ける。
【０１０２】
在所記憶装置４は、抽出した権限が有効でないと判定した場合は（Ｓ２０７でＮＯ）、ステップＳ２０３以降の処理を続ける。
【０１０３】
一方、抽出した権限が有効であると判定した場合は（Ｓ２０７でＹＥＳ）、在所記憶装置４は、ユーザＩＤ、スティックＩＤ、現場ＩＤ、及び発信番号を入出場データベース４４５に登録し（Ｓ２０９）、処理を終了する。
【０１０４】
図１２は作業入力画面情報生成の手順を示すフローチャートである。在所記憶装置４は、受信したスティックＩＤ及び該スティックＩＤを受信した時刻を組み合わせて任意の文字列を生成し、擬似ランダム数であるワンタイムパスワードを生成する（S３０１）。在所記憶装置４は、受信した電話番号に基づいて抽出したユーザの権限が、いずれの権限であるかを判定する（Ｓ３０２）。  
【０１０５】
ユーザの権限がゲストユーザである場合は（Ｓ３０２でゲストユーザ）、在所記憶装置４は、ゲストユーザ用作業入力画面情報を生成し（Ｓ３０３）、生成したゲストユーザ用作業入力画面情報とステップＳ３０１で生成したワンタイムパスワードとを携帯電話機１へ送信し（Ｓ３０４）、処理を終了する。
【０１０６】
ユーザの権限が、作業者である場合は（Ｓ３０２で作業者）、在所記憶装置４は、作業者用作業入力画面情報を生成し（Ｓ３０５）、生成した作業者用作業入力画面情報とステップＳ３０１で生成したワンタイムパスワードとを携帯電話機１へ送信し（Ｓ３０６）、処理を終了する。
【０１０７】
ユーザの権限が、監督者である場合は（Ｓ３０２で監督者）、在所記憶装置４は、監督者用作業入力画面情報を生成し（Ｓ３０７）、生成した監督者用作業入力画面情報とステップＳ３０１で生成したワンタイムパスワードとを携帯電話機１へ送信し（Ｓ３０８）、処理を終了する。
【０１０８】
図１３は作業入力画面の例を示す説明図である。図１３（ａ）に示すように、ゲスト用の作業入力画面は、現場名を表示する欄、利用者（ユーザ）の名前を入力する入力欄、作業開始、作業終了、代行投入、及びパスワード表示の操作欄を備えている。また、図１３（ｂ）に示すように、作業者用の作業入力画面は、現場名を表示する欄、利用者（ユーザ）名を表示する欄、作業開始、作業終了、代行投入、及びパスワード表示の操作欄を備えている。また、図１３（ｃ）に示すように、監督者用の作業入力画面は、現場名を表示する欄、利用者（ユーザ）名を表示する欄、作業開始、作業終了、代行投入、就労状況確認、現場初期設定、パスワード表示の操作欄を備えている。
【０１０９】
図１４乃至図１６は在所情報記憶の手順を示すフローチャートである。携帯電話機１は、在所記憶装置４から送信された作業入力画面情報及びワンタイムパスワードを受信する（Ｓ４０１）。
【０１１０】
携帯電話機１は、受信した作業入力画面情報に基づいて表示した作業入力画面において、ユーザ（作業者、監督者、臨時作業者）が代行投入の操作をしたか否かを判定する（Ｓ４０２）。ユーザが代行投入の操作を行った場合は（Ｓ４０２でＹＥＳ）、携帯電話機１は、代行投入画面の要求を在所記憶装置４へ送信し（Ｓ４０３）、在所記憶装置４からの応答待ちをする（Ｓ４０４）。
【０１１１】
ステップＳ４０５で、携帯電話機１からの応答待ちであった在所記憶装置４は、代行投入画面の要求を受信し（Ｓ４０６）、代行投入画面情報を生成する（Ｓ４０７）。在所記憶装置４は、生成した代行投入画面情報を携帯電話機１へ送信し（Ｓ４０８）、携帯電話機１からの応答待ちをする（Ｓ４０９）。
【０１１２】
ステップＳ４０４で応答待ちであった携帯電話機１は、ステップＳ４０８で送信された代行投入画面情報を受信し（Ｓ４１０）、受信した代行投入画面情報に基づいて代行投入画面を表示する（Ｓ４１１）。ユーザが、携帯電話機１で表示された代行投入画面で、代行投入してもらうユーザの電話番号を入力すると、携帯電話機１は、代行投入してもらうユーザの電話番号の入力を受付ける（Ｓ４１２）。
【０１１３】
携帯電話機１は、代行投入画面又は受信した作業入力画面情報に基づいて表示した作業入力画面において、ユーザが作業開始の操作をしたか否かを判定する（Ｓ４１３）。ユーザが作業開始の操作を行った場合は（Ｓ４１３でＹＥＳ）、携帯電話機１は、作業開始情報を作成し（Ｓ４１４）、作成した作業開始情報を在所記憶装置４へ送信し（Ｓ４１５）、在所記憶装置４からの応答待ちをする（Ｓ４１６）。
【０１１４】
ユーザが作業開始の操作を行わない場合は（Ｓ４１３でＮＯ）、携帯電話機１は、代行投入画面又は作業入力画面において、ユーザが作業終了の操作をしたか否かを判定する（Ｓ４１７）。ユーザが作業終了の操作を行った場合は（Ｓ４１７でＹＥＳ）、携帯電話機１は、作業終了情報（在不在情報）を作成し（Ｓ４１８）、作成した作業終了情報を在所記憶装置４へ送信し（Ｓ４１９）、在所記憶装置４からの応答待ちをする（Ｓ４１６）。
【０１１５】
ユーザが作業終了の操作を行わない場合は（Ｓ４１６でＮＯ）、携帯電話機１は、作業入力画面において、ユーザがパスワード表示の操作をしたか否かを判定する（Ｓ４２０）。ユーザがパスワード表示の操作を行った場合は（Ｓ４２０でＹＥＳ）、携帯電話機１は、在所記憶装置４から受信してあるワンタイムパスワードを表示し（Ｓ４２１）、処理を終了する。
【０１１６】
ユーザがパスワード表示の操作を行わない場合は（Ｓ４２０でＮＯ）、携帯電話機１は、ステップＳ４０２以降の処理を続ける。
【０１１７】
ステップＳ４０９で、携帯電話機１からの応答待ちであった在所記憶装置４は、ステップＳ４１５又はＳ４１９において、携帯電話機１から送信された作業開始情報又は作業終了情報を受信し（Ｓ４２２）、作業開始情報又は作業終了情報を受信した日時を検出する（Ｓ４２３）。
【０１１８】
在所記憶装置４は、作業開始又は作業終了、検出した日時、本人又は代行の別、代行者の場合は代行者ＩＤを入出場データベース４４５に記憶する（Ｓ４２４）。これにより、在所情報が登録される。在所記憶装置４は、標語データベース４４４にアクセスし、ユーザの組織、管轄名、現場名、権限などに応じて予め記憶してある標語ＩＤ及び標語を表示させる頻度に基づいて、ユーザの携帯電話機１で表示させる標語を選択する（Ｓ４２５）。
【０１１９】
在所記憶装置４は、選択した標語とともに在所情報が登録されたことを表示するための登録完了画面情報を生成し（Ｓ４２６）、生成した登録完了画面情報を携帯電話機１へ送信し（Ｓ４２７）、処理を終了する。
【０１２０】
ステップＳ４１６で在所記憶装置４からの応答待ちであった携帯電話機１は、ステップＳ４２８で送信された登録完了画面情報を受信し（Ｓ４２８）、受信した登録完了画面情報に基づいて、登録完了画面を表示し（Ｓ４２９）、処理を終了する。
【０１２１】
図１７は代行投入画面及び登録完了画面の例を示す説明図である。図１７（ａ）に示すように、代行投入画面は、代行投入してもらうユーザの電話番号入力欄、作業開始、及び作業終了の操作欄を備えている。また、図１７（ｂ）に示すように、登録完了画面は、ユーザの権限などに応じて伝達すべき標語、登録内容を示す情報を表示する。
【０１２２】
図１８はモバイルスティック非対応の携帯電話機１´を使用した場合のユーザ認証の手順を示すフローチャートである。この場合は、携帯電話機１´は、モバイルスティック２を接続することにより、スティックＩＤを取得することができないため、モバイルスティック対応の携帯電話機１で取得したワンタイムパスワードを用いて、ユーザを認証する。
【０１２３】
ユーザは、ステップＳ４２１において、モバイルスティック対応の携帯電話機１で表示したワンタイムパスワードを、携帯電話機１´で入力する（Ｓ５０１）。携帯電話機１´は、電話番号及び入力されたワンタイムパスワードを在所記憶装置４へ送信し（Ｓ５０２）、処理を終了する。
【０１２４】
ステップＳ５０３において、携帯電話機１´からの応答待ちであった在所記憶装置４は、ステップＳ５０２で送信されたワンタイムパスワード、電話番号を受信する（Ｓ５０４）。在所記憶装置４は、受信したワンタイムパスワードに対して、所定の復号化処理を行うことにより、元のスティックＩＤを復号する（Ｓ５０５）。
【０１２５】
在所記憶装置４は、復号したスティックＩＤに基づいて、スティック設置データベース４４３にアクセスし、前記スティックＩＤに対応して有効な現場ＩＤが記憶されているか否か検索することにより、スティックＩＤが有効か否かを判定する（Ｓ５０６）。
【０１２６】
スティックＩＤが有効でない場合は（Ｓ５０６でＮＯ）、在所記憶装置４は、エラーメッセージを作成し（Ｓ５０７）、作成したエラーメッセージを携帯電話機１へ送信し（Ｓ５０８）、処理を終了する。
【０１２７】
一方、スティックＩＤが有効である場合は（Ｓ５０６でＹＥＳ）、在所記憶装置４は、スティックＩＤに基づいて、入出場データベース４４５にアクセスし、発信番号が過去に前記スティックＩＤに対応するモバイルスティック２から受信した番号か否か検索することにより、発信番号が有効か否かを判定する（Ｓ５０９）。
【０１２８】
受信した発信番号が、記憶してある発信番号と一致する場合は、在所記憶装置４は、受信した発信番号は有効でないと判定し（Ｓ５０９でＮＯ）、ステップＳ５０７以降の処理を続ける。
【０１２９】
一方、受信した発信番号が、記憶してある発信番号と一致しない場合は、在所記憶装置４は、受信した発信番号は有効であると判定し（Ｓ５０９でＹＥＳ）、受信した電話番号に基づいて、ユーザデータベース４４１にアクセスし、前記電話番号が記憶されているか否かを検索することにより、前記電話番号が有効か否かを判定する（Ｓ５１０）。
【０１３０】
受信した電話番号が、記憶してある電話番号と一致する場合は、在所記憶装置４は、受信した電話番号は有効であると判定し（Ｓ５１０でＹＥＳ）、受信した電話番号に基づいて、ユーザデータベース４４１にアクセスし、ユーザの権限（属性）を抽出し、抽出した権限が有効か否かを判定する（Ｓ５１２）。
【０１３１】
一方、受信した電話番号が、記憶してある電話番号と一致しない場合は、在所記憶装置４は、受信した電話番号は有効でないと判定し（Ｓ５１０でＮＯ）、ユーザデータベース４４１に、暫定ユーザＩＤを登録してゲストユーザ（例えば、臨時作業者）の権限を付与し（Ｓ５１１）、ステップＳ５１２以降の処理を続ける。
【０１３２】
在所記憶装置４は、抽出した権限が有効でないと判定した場合は（Ｓ５１２でＮＯ）、ステップＳ５０７以降の処理を続ける。
【０１３３】
一方、抽出した権限が有効であると判定した場合は（Ｓ５１２でＹＥＳ）、在所記憶装置４は、ユーザＩＤ、スティックＩＤ、現場ＩＤ、及び発信番号を入出場データベース４４５に登録し（Ｓ５１３）、処理を終了する。
【０１３４】
これにより、ユーザが所有する携帯電話機がモバイルスティックに対応しているか否かに拘わらず、ユーザの認証をすることができ、作業開始日時、作業終了日時などを含めた在所情報を登録することができ、ユーザの利便性が向上する。
【０１３５】
図１９は就労状況確認の手順を示すフローチャートである。監督者は、自己の携帯電話機から在所記憶装置４にアクセスし、現在の就労状況を確認することが可能である。ユーザ（監督者）の携帯電話機１は、在所記憶装置４から送信された作業入力画面情報を受信する（Ｓ６０１）。携帯電話機１は、受信した作業入力画面情報に基づいて作業入力画面を表示する（Ｓ６０２）。
【０１３６】
ユーザは、表示された作業入力画面で就労状況確認の操作をする（Ｓ６０３）。携帯電話機１は、就労状況確認画面情報の要求を在所記憶装置４へ送信し（Ｓ６０４）、在所記憶装置４からの応答待ちを行う（Ｓ６０５）。
【０１３７】
ステップＳ６０６で、携帯電話機１からの応答待ちであった在所記憶措置４は、ステップＳ６０４で送信された就労状況確認画面情報の要求を受信する（Ｓ６０７）。在所記憶装置４は、就労状況確認画面情報を生成し（Ｓ６０８）、生成した就労状況確認画面情報を携帯電話機１へ送信し（Ｓ６０９）、携帯電話機１からの応答待ちを行う（Ｓ６１０）。
【０１３８】
携帯電話機１は、ステップＳ６０９で送信された就労状況確認画面情報を受信し（Ｓ６１１）、受信した就労状況確認画面情報に基づいて就労状況確認画面を表示する（Ｓ６１２）。ユーザは、表示された就労状況確認画面で、現場名を選択するとともに、就労状況の表示の操作をする（Ｓ６１３）。携帯電話機１は、現場名とともに就労状況の要求を在所記憶装置４へ送信し（Ｓ６１４）、在所記憶装置４からの応答待ちを行う（Ｓ６１５）。
【０１３９】
在所記憶装置４は、ステップＳ６１４で送信された現場名とともに就労状況の要求を受信する（Ｓ６１６）。在所記憶装置４は、受信した現場名に基づいて、現場データベース４４２を検索して現場ＩＤを抽出し、抽出した現場ＩＤに基づいて入出場データベース４４５を検索し、就労状況画面情報を生成し（Ｓ６１７）、生成した就労状況画面情報を携帯電話機１へ送信し（Ｓ６１８）、処理を終了する。
【０１４０】
携帯電話機１は、ステップＳ６１８で送信された就労状況画面情報を受信し（Ｓ６１９）、受信した就労状況画面情報に基づいて就労状況画面を表示し（Ｓ６２０）、処理を終了する。
【０１４１】
図２０は就労状況確認画面及び就労状況画面の例を示す説明図である。図２０（ａ）に示すように、就労状況確認画面は、現場名を選択する選択欄、就労状況表示の操作欄を備えている。また、図２０（ｂ）に示すように、就労状況画面は、選択された現場で作業をする作業者の作業開始時刻、作業終了時刻などが表示され、就労状況を確認することができる。
【０１４２】
図２１は現場初期設定の手順を示すフローチャートである。監督者は、自己の携帯電話機から在所記憶装置４にアクセスし、現在の初期設定、すなわち、現場に配布されたモバイルスティックと現場との対応付けをすることが可能である。ユーザ（監督者）の携帯電話機１は、在所記憶装置４から送信された作業入力画面情報を受信する（Ｓ７０１）。携帯電話機１は、受信した作業入力画面情報に基づいて作業入力画面を表示する（Ｓ７０２）。
【０１４３】
ユーザは、表示された作業入力画面で現場初期設定の操作をする（Ｓ７０３）。携帯電話機１は、現場初期設定画面情報の要求を在所記憶装置４へ送信し（Ｓ７０４）、在所記憶装置４からの応答待ちを行う（Ｓ７０５）。
【０１４４】
ステップＳ７０６で、携帯電話機１からの応答待ちであった在所記憶措置４は、ステップＳ７０４で送信された現場初期設定画面情報の要求を受信する（Ｓ７０７）。在所記憶装置４は、現場初期設定画面情報を生成し（Ｓ７０８）、生成した現場初期設定画面情報を携帯電話機１へ送信し（Ｓ７０９）、携帯電話機１からの応答待ちを行う（Ｓ７１０）。
【０１４５】
携帯電話機１は、ステップＳ７０９で送信された現場初期設定画面情報を受信し（Ｓ７１１）、受信した現場初期設定画面情報に基づいて現場初期設定画面を表示する（Ｓ７１２）。ユーザは、表示された現場初期設定画面で、管轄名、現場名を選択する（Ｓ７１３）。携帯電話機１は、管轄名、現場名を在所記憶装置４へ送信し（Ｓ７１４）、在所記憶装置４からの応答待ちを行う（Ｓ７１５）。
【０１４６】
在所記憶装置４は、ステップＳ７１４で送信された管轄名、現場名を受信する（Ｓ７１６）。在所記憶装置４は、受信した現場名に基づいて、現場データベース４４２を検索して現場ＩＤを抽出し、抽出した現場ＩＤとスティックＩＤとを関連つけてスティック設置データベース４４３に記憶する（Ｓ７１７）。この際に、スティックＩＤに関連付けて記憶してある過去の現場ＩＤの欄に無効を記憶するとともに、更新日時も記憶する。
【０１４７】
在所記憶装置４は、現場初期設定完了画面情報を生成し（Ｓ７１８）、生成した現場初期設定完了画面情報を携帯電話機１へ送信し（Ｓ７１９）、処理を終了する。
【０１４８】
携帯電話機１は、ステップＳ７１９で送信された現場初期設定完了画面情報を受信し（Ｓ７２０）、受信した現場初期設定完了画面情報に基づいて現場初期設定完了画面を表示し（Ｓ７２１）、処理を終了する。
【０１４９】
これにより、ユーザ（監督者）は、現場に配布されたモバイルスティック２を携帯電話機１に接続して、上述の画面操作を行うことにより、簡単に現場と、該現場に配布されたモバイルスティックとの関連付けをすることができ、モバイルスティックが誤って間違った現場に関連付けられることを防止でき、確実に在所情報を生成することが可能になる。
【０１５０】
図２２は現場初期設定画面及び現場初期設定完了画面の例を示す説明図である。図２２（ａ）に示すように、現場初期設定画面は、管轄名、現場名を選択する選択欄を備えている。また、図２２（ｂ）に示すように、現場初期設定完了画面は、初期設定された登録内容を表示する。
【０１５１】
以上説明したように、作業現場、工事現場などに設置されてあり、商用電源が不要であり、比較的安価で簡便な構成を有するモバイルスティック２と、作業者、監督者、臨時作業者などのユーザが所有する携帯電話機１とにより、どのような作業場所であっても、誰が、何時、何処で作業を開始し、また作業を終了したかを正確に記憶することができるとともに、必要に応じてリアルタイムで、作業者等の作業状況を逐一確認することができる。
【０１５２】
また、作業の開始、作業の終了などの操作を、在所記憶装置４で生成した作業入力画面をユーザの携帯電話機で表示させ、ユーザに操作すべき内容を確認させた上で、作業開始、作業終了などの情報（在不在情報）を生成するため、前記情報を誤って記憶することを防止でき、より正確な在所情報を生成することができる。
【０１５３】
また、モバイルスティック２を携帯電話機１に接続して、在所記憶装置４にアクセスすることにより、在所記憶装置４がスティックＩＤに基づいてワンタイムパスワードを生成し、携帯電話機１へ送信することにより、携帯電話機１でワンタイムパスワードを表示させる。モバイルスティック非対応の携帯電話機１´を所有しているユーザに対しても、他のユーザの携帯電話機１で受信したワンタイムパスワードを表示させ、表示したワンタイムパスワードを携帯電話機１´に入力して、作業入力画面を表示させることができ、ユーザの利便性が向上する。また、ワンタイムパスワードを用いることにより、スティックＩＤの漏洩を防止することができる。また、携帯電話機１で表示したワンタイムパスワードを携帯電話機１´で入力することにより、携帯電話機１´のユーザがモバイルスティク２の設置場所においてしか知りえない情報（ワンタイムパスワード）を入力したと判断することができ、携帯電話機１´のユーザが、モバイルスティック２の設置場所に居ることを確認できる。
【０１５４】
また、ユーザが携帯電話機１の携帯を忘れた場合であっても、他のユーザが携帯する携帯電話機１から代行投入して、作業開始、作業終了などの情報を生成することができ、ユーザの利便性が向上する。
【０１５５】
また、ユーザ（監督者）が、現場に配布されたモバイルスティック２を携帯電話機１に接続して、現場初期設定画面で現場名を選択するため、モバイルスティック２で記録されたスティックＩＤと現場ＩＤとを確実に関連付けることができ、モバイルスティック２の配布ミスを防止して、正確に作業開始、作業終了などの情報を生成することができる。また、現場での作業が完了して、該現場で使用していたモバイルスティック２を他の現場に配布して、使用することができ、モバイルスティック２を有効利用することができる。
【０１５６】
また、作業開始、作業終了などの情報を携帯電話機１から在所記憶装置４へ送信する度に、番号が「１」だけ増加する発信番号を在所記憶装置４へ送信し、在所記憶装置４は、受信した発信番号が、過去に受信した発信番号と一致せず、「１」だけ増加した番号であることを判定することにより、モバイルスティック２を改造等して不正に使用した場合、モバイルスティック２を使用せずに、直接在所記憶装置４の所定のＵＲＬなどにアクセスした場合などの不正使用を排除することができる。
【０１５７】
また、ユーザの権限（属性）に基づいて、作業入力画面情報を生成することにより、ユーザの登録が完了していない臨時作業者であっても、作業開始、作業終了などの情報を生成することができる。また、ユーザの職制に応じて入力すべき項目が異なるため、ユーザの職制に合わせて、入力画面を選択することにより、ユーザの画面の入力作業性が向上する。また、ユーザの権限などに基づいて、各ユーザに確実に伝達すべき情報をユーザに伝達することができ、情報伝達の作業効率を向上することができる。
【０１５８】
上述の実施の形態においては、各ユーザが所有する携帯電話機１にモバイルスティック２を接続して在所記憶装置４にアクセスして在所情報を生成する構成であったが、これに限定されない。例えば、モバイルスティック２を複数のユーザの各携帯電話機１、１、…に順番に接続して、携帯電話機１、１、…に記憶してある電話番号を取得し、電話番号リスト部２３６に記憶し、携帯電話機１をモバイルスティック２に接続した場合に、携帯電話機１が電話番号リスト部２３６から、記憶してある電話番号を取得し、スティックＩＤ、自己の電話番号とともに、在所記憶装置４へ送信する構成でもよい。これにより、複数のユーザが同一時間帯に作業を開始又は作業を終了する場合に、各ユーザの識別情報を一括して在所記憶装置４へ送信することができ、作業効率が向上する。
【０１５９】
上述の実施の形態においては、モバイルスティック２を使用する構成であったが、これに限定されるものではなく、例えば、非接触ＩＣカードを使用する構成でもよい。この場合には、ユーザに非接触ＩＣカードを携帯させ、非接触ＩＣカードからユーザ識別情報を取得するとともに、カードリーダ識別情報を有し、画面を表示させる表示部を備えたカードリーダを現場に設置することにより実現できる。
【０１６０】
上述の実施の形態においては、モバイルスティック２を使用する構成であったが、これに限定されるものではなく、例えば、モバイルスティック２に代えて、現場に設置したＱＲコードなどの二次元バーコードを使用する構成でもよい。この場合は、二次元バーコードに固有の識別情報を記憶し、ユーザが所有する携帯電話機で二次元バーコードを読み取ることにより実現できる。また、アクセス用ＵＲＬ２３２、接続プログラム２３３などは携帯電話機１で記憶してある。
【０１６１】
上述の実施の形態においては、ＵＲＬに基づいて所要の画面を表示させる構成であったが、これに限定されるものではなく、携帯電話機から電子メールを在所記憶装置４へ送信する構成でもよい。この場合は、電子メールの送信元アドレスからユーザ識別情報を取得し、電子メールの題名から作業内容、現場ＩＤを取得し、電子メールの受信時から作業開始又は作業終了の日時を検出することができる。
【０１６２】
上述の実施の形態においては、ユーザは携帯電話機を使用する構成であったが、これに限定されるものではなく、ノート型パーソナルコンピュータ、ＰＤＡなどの情報通信装置を使用することも可能である。
【０１６３】
上述の実施の形態においては、ユーザの作業開始及び作業終了を示す情報を記憶する構成であったが、作業開始のみ、又は作業終了のみを記憶する構成でもよい。
【０１６４】
上述の実施の形態においては、モバイルスティック２の在所における携帯電話機１の在不在を示す在不在情報としてユーザの作業開始及び作業終了を示す情報を用いる構成であったが、これに限定されるものではなく、例えば、作業現場への出勤、退勤を用いてもよく、また、作業場所への入場、退場を用いてもよい。
【０１６５】
上述の実施の形態においては、ユーザの作業開始及び作業終了を示す情報を受信した日時を検出する構成であったが、これに限定されるものではない。例えば、前記情報を送信した日時を検出する構成であってもよい。
【０１６６】
上述の実施の形態においては、在所記憶装置４で、ユーザの作業開始及び作業終了を示す情報を受信した日時を検出する構成であったが、これに限定されるものではなく、携帯電話機１又はモバイルスティック２に日時を計数する計数手段を設け、該計数手段が計数した日時を用いる構成であってもよい。
【０１６７】
上述の実施の形態において、携帯電話機は一の移動通信事業者に限定されるものではなく、複数の異なる移動通信事業者から提供される携帯電話機を使用することができる。この場合は、移動通信事業者毎に通信接続処理動作は差異が存在するため、確実な通信接続動作を確保するために、通信接続処理手順の変換を行う変換処理を在所記憶装置４に備えることが可能である。例えば、ＵＲＬに基づいて通信接続処理を行うことができない携帯電話機からの接続の場合には、モバイルスティック２を接続したときに、携帯電話機から電子メールを送信するように構成し、在所記憶装置４で、受信した電子メールの内容から、所定の処理を行う構成にすることにより実現できる。
【０１６８】
上述の実施の形態において、携帯電話機に表示される画面は、一例であって、これに限定されるものではない。例えば、監督者が、作業工程の進捗状況（完了、未完など）を入力して、在所記憶装置４で在所情報とともに記録できるような構成であってもよい。また、監督者が現場に備えられた建築確認申請済標識などの現地設置物をカメラ付き携帯電話機で撮像し、撮像した画像を在所記憶装置４へ送信し、在所情報とともに記録する構成でもよい。
【０１６９】
上述の実施の形態において、各種データベースのレコードレイアウトは一例であって、これに限定されるものではない。
【０１７０】
上述の実施の形態においては、モバイルスティック２を作業現場に設置した場合について説明したが、モバイルスティック２の設置場所は作業現場、工事現場などの限定されるものではない。例えば、派遣社員などが作業する派遣先、介護士が巡回する介護先、企業の社員が巡回する顧客先など、複数の作業場所に複数の作業者が就労する場合に、誰が何時何処でどのような作業状況にあるかを把握する必要がある場合に利用することができる。
【０１７１】
実施の形態２
実施の形態１では、モバイルスティック２を用いた例を示したが、モバイルスティック２に代えて、カードリーダ７を記録媒体として作業現場に設置し、カードリーダ７に記憶されたリーダ番号を媒体識別情報として携帯電話機１で取得することも可能である。
【０１７２】
図２３は実施の形態２の在所記憶システムの構成を示す説明図である。図において、１は携帯電話機である。携帯電話機１は、図示しない無線ネットワーク、基地局装置、ゲートウェイ装置などを介して通信回線５に接続される。通信回線５には、携帯電話機（ユーザ）の在所記憶をする在所記憶装置４を接続してある。
【０１７３】
また、通信回線５には、例えば、作業現場で作業するユーザに関連する企業の企業サーバ６を接続してある。企業サーバ６には、作業現場で作業するユーザの氏名などの個人情報を記録してあり、サーバ装置６１、端末装置６２、６２、…などが社内ＬＡＮ６３上に構築されている。建築現場、工事現場などの作業現場Ａ、Ｂ、…には、リーダ番号を記憶したカードリーダ７を設置している。
【０１７４】
図２４は携帯電話機１の構成を示すブロック図である。図において、１８はタイマである。タイマ１８は、所定の時間Ｔ１の経過を計時する。記憶部１５は、アプリケーション部１５５を記憶している。アプリケーション部１５５は、コンピュータプログラムで実現することができ、制御部１１の制御のもと、インタフェース部１２を介して、カードリーダ７に記憶されたリーダ番号を非接触の無線通信により取得する取得処理、タイマ１８の計時開始処理、取得したリーダ番号を在所記憶装置４へ送信する処理などを行う。
【０１７５】
制御部１１は、操作部１６から入力される操作に基づいて、アプリケーション部１５５の起動処理、所定時間Ｔ１経過後のタイマ１８からの出力によりアプリケーション部１５５の取得処理を禁止する禁止処理などを行う。なお、実施の形態１と同様の部分は、同一符号を付して説明を省略する。
【０１７６】
図２５はカードリーダ７の構成を示すブロック図である。図において、７１はインタフェース部である。インタフェース部７１は、携帯電話機１との通信処理を行う。携帯電話機１をカードリーダ７へ近づけることにより、携帯電話機１はカードリーダ７の記憶部７３に記憶されたリーダ番号７３１を取得する。
【０１７７】
制御部７２は、インタフェース部７１及び記憶部７３の動作を制御する。
【０１７８】
図２６は在所記憶装置４の構成を示すブロック図である。在所記憶装置４は、実施の形態１と同様に、コンピュータプログラムＰＧを記録したＣＤ−ＲＯＭ４３１を駆動する記録部４３、コンピュータプログラムＰＧを一時的に記憶するＲＡＭ４２、通信回線５を介して携帯電話機１に接続するための通信部４５、マウス、キーボード、ディスプレイなどの入出力部４６、各種データベースを記憶する記憶部４７、所定の時間Ｔ３を計時するタイマ４８、及びコンピュータプログラムＰＧを実行するＣＰＵ４１を備えている。
【０１７９】
記憶部４７は、作業者、監督者などのユーザのユーザＩＤ（利用者ＩＤ）と該ユーザが所有する携帯電話機の電話番号を関連付けて記憶するユーザデータベース４７１、ユーザが属する（又はユーザを派遣する）企業を識別する企業ＩＤ毎にカードリーダ７の設置場所を特定する企業データベース４７２、及びユーザの在所情報を示す入出場データベース４７３を記憶してある。また、記憶部４７は、時間切れを示す表示画面などの画面情報を記憶している。ＣＰＵ４１は、コンピュータプログラムＰＧの実行に伴って、これらの各種データベースにアクセスする。なお、実施の形態１と同様の部分は、同一符号を付して説明を省略する。
【０１８０】
図２７はユーザデータベース４７１のレコードレイアウトを示す説明図である。ユーザデータベース４７１は、携帯電話機１を携帯し、作業現場で作業をする作業者、監督者などのユーザを特定する情報を示す。ユーザデータベース４７１は、ユーザ毎に固有に割り当てられたユーザＩＤ、ユーザが所有する携帯電話機１の電話番号の各欄により構成してある。これにより、携帯電話機１と携帯電話機１を携帯するユーザが対応付けられ、携帯電話機１の電話番号に基づいて、ユーザを識別することができる。なお、ユーザの氏名などの個人情報は、在所記憶装置４に記憶せず、企業サーバ６のサーバ装置６１などに記憶してある。これにより、個人情報を企業サーバ６で一元管理して個人情報の漏洩の可能性を低減することができる。
【０１８１】
図２８は企業データベース４７２のレコードレイアウトを示す説明図である。企業データベース４７２は、建設現場、工事現場などの作業現場を特定する情報を示し、企業を特定する企業ＩＤ、現場毎に固有に割り当てられた現場ＩＤ、各現場に設置されたカードリーダ７のリーダ番号、リーダ番号に対応する現場ＩＤが有効か無効かを示す有効情報、リーダ番号と現場ＩＤとを関連付けて記憶した日時を示す更新日時の各欄により構成してある。
【０１８２】
図２９は入出場データベース４７３のレコードレイアウトを示す説明図である。入出場データベース４７３は、作業者、監督者などのユーザが、どの作業現場において、いつ作業を開始し、いつ作業を終了したかを示す情報を記録したものである。入出場データベース４７３は、ユーザＩＤ、現場ＩＤ、作業の開始又は終了を示す作業情報（作業場所における在不在情報）、作業開始又は作業終了時刻を示す日時、作業者本人、監督者本人、又は代行者が登録したかを示す登録方法、代行者により登録された場合の代行者ＩＤの各欄から構成してある。
【０１８３】
次に、実施の形態２の在所記憶システムの処理手順について説明する。図３０は識別情報の送信の手順を示すフローチャートである。ユーザが在所記憶のためのアプリケーションを起動するために、操作部１６から操作した場合、携帯電話機１はアプリケーション（アプリ）を起動する（Ｓ１２０）。携帯電話機１は、アプリのスクラッチパッドに記憶されたリーダ番号を初期化する（Ｓ１２１）。
【０１８４】
携帯電話機１は、時間Ｔ１（例えば、１分、２分など）の計時を開始する（Ｓ１２２）。携帯電話機１は、携帯電話機１をカードリーダ７に近づける操作をユーザに促すための操作要求画面（例えば、「携帯電話機をカードリーダに近づけてください」というメッセージ）を表示する（Ｓ１２３）。
【０１８５】
携帯電話機１は、時間Ｔ１が経過したか否かを判定し（Ｓ１２４）、時間Ｔ１が経過していない場合（Ｓ１２４でＮＯ）、リーダ番号を取得したか否かを判定する（Ｓ１２５）。リーダ番号を取得した場合（Ｓ１２５でＹＥＳ）、携帯電話機１は、取得したリーダ番号、記憶してある電話番号を在所記憶装置４へ送信し（Ｓ１２６）、処理を終了する。
【０１８６】
リーダ番号を取得していない場合（Ｓ１２５でＮＯ）、携帯電話機１は、ステップＳ１２４以降の処理を続ける。一方、時間Ｔ１が経過した場合（Ｓ１２４でＹＥＳ）、携帯電話機１は、リーダ番号を取得する時間が経過したことを示す時間切れ画面（例えば、「時間切れです」というメッセージ）を表示し（Ｓ１２７）、処理を終了する。
【０１８７】
図３１はユーザ認証の手順を示すフローチャートである。在所記憶装置４は、携帯電話機１が送信したリーダ番号、電話番号を受信する（Ｓ２２０）。在所記憶装置４は、受信したリーダ番号に基づいて、企業データベース４７２にアクセスし、前記リーダ番号に対応して有効な現場ＩＤが記憶されているか否か検索することにより、リーダ番号が有効か否かを判定する（Ｓ２２１）。
【０１８８】
リーダ番号が有効でない場合は（Ｓ２２１でＮＯ）、在所記憶装置４は、エラーメッセージを作成し（Ｓ２２４）、作成したエラーメッセージを携帯電話機１へ送信し（Ｓ２２５）、処理を終了する。
【０１８９】
一方、リーダ番号が有効である場合は（Ｓ２２１でＹＥＳ）、在所記憶装置４は、受信した電話番号に基づいて、ユーザデータベース４７１にアクセスし、前記電話番号が記憶されているか否かを検索することにより、前記電話番号が有効か否かを判定する（Ｓ２２２）。
【０１９０】
受信した電話番号が、記憶してある電話番号と一致する場合は、在所記憶装置４は、受信した電話番号は有効であると判定し（Ｓ２２２でＹＥＳ）、受信した電話番号に関連付けられて記憶されたユーザＩＤ、受信したリーダ番号、現場ＩＤを入出場データベース４７３に登録し（Ｓ２２３）、処理を終了する。
【０１９１】
電話番号が有効でない場合は（Ｓ２２２でＮＯ）、在所記憶装置４は、エラーメッセージを作成し（Ｓ２２４）、作成したエラーメッセージを携帯電話機１へ送信し（Ｓ２２５）、処理を終了する。
【０１９２】
図３２乃至図３４は在所情報記憶の手順を示すフローチャートである。在所記憶装置４は、作業入力画面情報を生成し（Ｓ４５０）、生成した作業入力画面情報を携帯電話機１へ送信する（Ｓ４５１）。在所記憶装置４は、時間Ｔ２（例えば、１分、２分など）の計時を開始し（Ｓ４５２）、携帯電話機１からの応答待ちをする（Ｓ４５３）。
【０１９３】
在所記憶装置４からの応答待ち（Ｓ４５４）であった携帯電話機１は、在所記憶装置４から送信された作業入力画面情報を受信する（Ｓ４５５）。
【０１９４】
携帯電話機１は、受信した作業入力画面情報に基づいて表示した作業入力画面においてユーザ（作業者、監督者、臨時作業者）が代行投入の操作をしたか否かを判定する（Ｓ４５６）。ユーザが代行投入の操作を行った場合は（Ｓ４５６でＹＥＳ）、携帯電話機１は代行投入画面の要求を在所記憶装置４へ送信し（Ｓ４５７）、在所記憶装置４からの応答待ちをする（Ｓ４５８）。
【０１９５】
在所記憶装置４は、代行投入画面の要求を受信し（Ｓ４５９）、代行投入画面情報を生成する（Ｓ４６０）。在所記憶装置４は、生成した代行投入画面情報を携帯電話機１へ送信し（Ｓ４６１）、携帯電話機１からの応答待ちをする（Ｓ４６２）。
【０１９６】
携帯電話機１は、在所記憶装置４から送信された代行投入画面情報を受信し（Ｓ４６３）、受信した代行投入画面情報に基づいて代行投入画面を表示する（Ｓ４６４）。ユーザが、携帯電話機１で表示された代行投入画面で、代行投入してもらうユーザの電話番号を入力すると、携帯電話機１は、代行投入してもらうユーザの電話番号の入力を受付ける（Ｓ４６５）。
【０１９７】
携帯電話機１は、代行投入画面又は受信した作業入力画面情報に基づいて表示した作業入力画面において、ユーザが作業開始の操作をしたか否かを判定する（Ｓ４６６）。ユーザが作業開始の操作を行った場合は（Ｓ４６６でＹＥＳ）、携帯電話機１は、作業開始情報を作成し（Ｓ４６７）、作成した作業開始情報を在所記憶装置４へ送信し（Ｓ４６８），在所記憶装置４からの応答待ちをする（Ｓ４６９）。
【０１９８】
ユーザが作業開始の操作を行わない場合は（Ｓ４６６でＮＯ）、携帯電話機１は、代行投入画面又は作業入力画面において、ユーザが作業終了の操作をしたか否かを判定する（Ｓ４７０）。ユーザが作業終了の操作を行った場合は（Ｓ４７０でＹＥＳ）、携帯電話機１は、作業終了情報（在不在情報）を作成し（Ｓ４７１）、作成した作業終了情報を在所記憶装置４へ送信し（Ｓ４７２）、ステップＳ４６９の処理を続ける。
【０１９９】
ユーザが作業終了の操作を行わない場合は（Ｓ４７０でＮＯ）、携帯電話機１は、処理を終了する。一方、ユーザが代行投入の操作を行わない場合は（Ｓ４５６でＮＯ）、携帯電話機１は、ステップＳ４６６以降の処理を続ける。
【０２００】
在所記憶装置４は、携帯電話機１から送信された作業開始情報又は作業終了情報を受信し（Ｓ４７３）、時間Ｔ２が経過したか否かを判定する（Ｓ４７４）。時間Ｔ２が経過した場合（Ｓ４７４でＹＥＳ）、在所記憶装置４は、エラーメッセージを作成し（Ｓ４７５）、作成したエラーメッセージを携帯電話機１へ送信し（Ｓ４７６）、処理を終了する。
【０２０１】
一方、時間Ｔ２が経過していない場合（Ｓ４７４でＮＯ）、在所記憶装置４は、作業開始情報又は作業終了情報を受信した日時を検出する（Ｓ４７７）。在所記憶装置４は、作業開始又は作業終了、検出した日時、本人又は代行の別、代行者の場合は代行者ＩＤを入出場データベース４７３に記憶する（Ｓ４７８）。これにより、在所情報が登録される。在所記憶装置４は、在所情報が登録されたことを表示するための登録完了画面情報を生成し（Ｓ４７９）、生成した登録完了画面情報を携帯電話機１へ送信し（Ｓ４８０）、処理を終了する。
【０２０２】
携帯電話機１は、在所記憶装置４から送信された登録完了画面情報を受信し（Ｓ４８１）、受信した登録完了画面情報に基づいて、登録完了画面を表示し（Ｓ４８２）、処理を終了する。
【０２０３】
以上説明したように、カードリーダ７のリーダ番号を取得するためにアプリを起動した時点から所定の時間Ｔ１以内に携帯電話機１をカードリーダ７に近づけることによりリーダ番号を取得したか否かを判定することにより、アプリを起動して、通常必要とする時間以内にリーダ番号が取得されない場合には、携帯電話機１の何らかの不正使用が発生した可能性が高いと判断して、リーダ番号の取得を禁止するようにしてあるため、不正にリーダ番号が取得されて、不正な在所情報が記録されることを防止できる。
【０２０４】
また、作業入力画面情報を送信した時点から所定の時間Ｔ２以内に作業開始情報又は作業終了情報を受信したか否かを判定することにより、作業入力画面の表示から作業開始又は作業終了の操作までに通常要する時間以内に操作されない場合は、携帯電話機１の何らかの不正使用が発生した可能性が高いと判断して、作業開始又は作業終了の受付けを禁止するようにしてあるため、不正な在所情報が記録されることを防止できる。
【０２０５】
なお、在所記憶装置４は、記憶した在所情報（ユーザＩＤ、現場ＩＤ、作業開始情報又は作業終了情報など）を、各企業を特定する企業ＩＤに基づいて、企業サーバ６へオンライン又はオフラインで送信することができる。これにより、在所記憶装置４は、ユーザの個人情報を記憶することなく、各ユーザの作業場所、作業開始時刻、作業終了時刻などの情報を各企業に提示することができ、一方、各企業は、企業サーバにユーザＩＤと個人情報とを関連付けて記憶しておくことにより、個人情報を企業外へ開示することなくユーザの作業状況をオンラインで把握、管理することが可能になる。
【０２０６】
上述の実施の形態では、時間Ｔ１の計時は、アプリを起動した時点から開始されるものであったが、これに限定されるものではなく、携帯電話機をカードリーダに近づける操作をユーザに促す操作要求画面を表示した時点から計時開始してもよい。
【０２０７】
上述の実施の形態では、時間Ｔ２の計時は、在所記憶装置４が作業入力画面情報を携帯電話機へ送信した時点から開始されるものであったが、これに限定されるものではない。例えば、ユーザＩＤ、リーダ番号を登録した時点でもよく、また、代行投入画面情報を携帯電話機へ送信した場合には、時間Ｔ２の計時を再度開始するようにしてもよい。
【０２０８】
上述の実施の形態では、在所記憶装置４で時間Ｔ２を計時して、作業開始情報又は作業終了情報などの在不在情報の受信が時間Ｔ２以内になされるか否かを判定する構成であったが、これに限定されるものではなく、携帯電話機１で判定する構成でもよい。
【０２０９】
図３５は在不在情報の作成を判定する手順を示すフローチャートである。携帯電話機１は、在所記憶装置４から作業入力画面情報を受信し（Ｓ８０１）、受信した作業入力画面情報に基づいて、「作業開始」、「作業終了」などの操作ボタンが示される作業入力画面を表示する（Ｓ８０２）。
【０２１０】
携帯電話機１は、時間Ｔ３（例えば、１分、２分など）の計時を開始し（Ｓ８０３）、時間Ｔ３が経過したか否かを判定する（Ｓ８０４）。時間Ｔ３が経過していない場合（Ｓ８０４でＮＯ）、携帯電話機１は、作業入力画面において、ユーザが作業開始の操作をしたか否かを判定する（Ｓ８０５）。
【０２１１】
ユーザが作業開始の操作を行った場合は（Ｓ８０５でＹＥＳ）、携帯電話機１は、作業開始情報を作成し、作成した作業開始情報を在所記憶装置４へ送信し（Ｓ８０６）、処理を終了する。
【０２１２】
ユーザが作業開始の操作を行わない場合は（Ｓ８０５でＮＯ）、携帯電話機１は、作業入力画面において、ユーザが作業終了の操作をしたか否かを判定する（Ｓ８０７）。ユーザが作業終了の操作を行った場合は（Ｓ８０７でＹＥＳ）、携帯電話機１は、作業終了情報を作成し、作成した作業終了情報を在所記憶装置４へ送信し（Ｓ８０８）、処理を終了する。
【０２１３】
ユーザが作業終了の操作を行わない場合は（Ｓ８０７でＮＯ）、携帯電話機１は、ステップＳ８０４以降の処理を続ける。時間Ｔ３が経過した場合（Ｓ８０４でＹＥＳ）、携帯電話機１は、時間切れ画面（例えば、「時間切れです」というメッセージ）を表示し（Ｓ８０９）、処理を終了する。
【０２１４】
これにより、作業入力画面を表示させた時点から時間Ｔ３の計時を開始し、時間Ｔ３以内にユーザが作業開始操作又は作業終了操作を行うことにより、作業開始又は作業終了を示す在不在情報を作成したか否かを判定し、Ｔ３時間以内であれば、不正なアクセスはないものとして取り扱うことができる。
【０２１５】
上述の実施の形態において、代行投入する場合、被代行投入者は一人に限定されるものではなく、複数の作業者の代行投入をすることもできる。図３６は、代行投入画面の例を示す説明図である。図に示すように、この場合の代行投入画面には、カードリーダ７のリーダ番号に基づいて在所記憶装置４から得られた「現場名」、代行投入者の電話番号などの入力により表示される「利用者」（代行投入者）、予め現場名に関連付けて在所記憶装置４に記憶されている前記現場を担当する作業者全員を示す「サンプルユーザ」、他の現場などからの作業者の応援がある場合に予め決められた応援者を示す「その他応援」などが表示されるとともに、「作業開始」及び「作業終了」の操作ボタンを表示する。
【０２１６】
代行投入者は、代行投入する場合に、表示された現場名、利用者を確認し、代行投入される作業者を表示されたものの中からチェックマークを付けて選択し、作業開始又は作業終了の操作をすることにより、複数の作業者の代行投入を簡単に行うことができる。
【図面の簡単な説明】
【０２１７】
【図１】本発明の在所記憶システムの構成を示す説明図である。
【図２】携帯電話機の構成を示すブロック図である。
【図３】モバイルスティックの構成を示すブロック図である。
【図４】在所記憶装置の構成を示すブロック図である。
【図５】ユーザデータベースのレコードレイアウトを示す説明図である。
【図６】現場データベースのレコードレイアウトを示す説明図である。
【図７】スティック設置データベースのレコードレイアウトを示す説明図である。
【図８】標語データベースのレコードレイアウトを示す説明図である。
【図９】入出場データベースのレコードレイアウトを示す説明図である。
【図１０】識別情報の送信の手順を示すフローチャートである。
【図１１】ユーザ認証の手順を示すフローチャートである。
【図１２】作業入力画面情報生成の手順を示すフローチャートである。
【図１３】作業入力画面の例を示す説明図である。
【図１４】在所情報記憶の手順を示すフローチャートである。
【図１５】在所情報記憶の手順を示すフローチャートである。
【図１６】在所情報記憶の手順を示すフローチャートである。
【図１７】代行投入画面及び登録完了画面の例を示す説明図である。
【図１８】モバイルスティック非対応の携帯電話機を使用した場合のユーザ認証の手順を示すフローチャートである。
【図１９】就労状況確認の手順を示すフローチャートである。
【図２０】就労状況確認画面及び就労状況画面の例を示す説明図である。
【図２１】現場初期設定の手順を示すフローチャートである。
【図２２】現場初期設定画面及び現場初期設定完了画面の例を示す説明図である。
【図２３】実施の形態２の在所記憶システムの構成を示す説明図である。
【図２４】携帯電話機の構成を示すブロック図である。
【図２５】カードリーダの構成を示すブロック図である。
【図２６】在所記憶装置の構成を示すブロック図である。
【図２７】ユーザデータベースのレコードレイアウトを示す説明図である。
【図２８】企業データベースのレコードレイアウトを示す説明図である。
【図２９】入出場データベースのレコードレイアウトを示す説明図である。
【図３０】識別情報の送信の手順を示すフローチャートである。
【図３１】ユーザ認証の手順を示すフローチャートである。
【図３２】在所情報記憶の手順を示すフローチャートである。
【図３３】在所情報記憶の手順を示すフローチャートである。
【図３４】在所情報記憶の手順を示すフローチャートである。
【図３５】在不在情報の作成を判定する手順を示すフローチャートである。
【図３６】代行投入画面の例を示す説明図である。
【符号の説明】
【０２１８】
１  携帯電話機
２  モバイルスティック
４  在所記憶装置
５  通信回線
７  カードリーダ
１１  制御部
１２  インタフェース部
１３  通信部
１４  表示部
１５  記憶部
１６  操作部
１７  ＲＡＭ
１８  タイマ
２１  インタフェース部
２２  制御部
２３  記憶部
４１  ＣＰＵ
４２  ＲＡＭ
４３  記録部
４４、４７  記憶部
４５  通信部
４６  入出力部
４８  タイマ
７１  インタフェース部
７２  制御部
７３  記憶部
１５５  アプリケーション部
２３１  通信情報部
２３２  アクセス用ＵＲＬ
２３３  接続プログラム
２３４  発信番号生成部
２３５  スティックＩＤ
２３６  電話番号リスト部
４４１、４７１  ユーザデータベース
４４２  現場データベース
４４３  スティック設置データベース
４４４  標語データベース
４４５、４７３  入出場データベース
４７２  企業データベース
【図１】
2006172421.tif 000003
【図２】
2006172421.tif 000004
【図３】
2006172421.tif 000005
【図４】
2006172421.tif 000006
【図５】
2006172421.tif 000007
【図６】
2006172421.tif 000008
【図７】
2006172421.tif 000009
【図８】
2006172421.tif 000010
【図９】
2006172421.tif 000011
【図１０】
2006172421.tif 000012
【図１１】
2006172421.tif 000013
【図１２】
2006172421.tif 000014
【図１３】
2006172421.tif 000015
【図１４】
2006172421.tif 000016
【図１５】
2006172421.tif 000017
【図１６】
2006172421.tif 000018
【図１７】
2006172421.tif 000019
【図１８】
2006172421.tif 000020
【図１９】
2006172421.tif 000021
【図２０】
2006172421.tif 000022
【図２１】
2006172421.tif 000023
【図２２】
2006172421.tif 000024
【図２３】
2006172421.tif 000025
【図２４】
2006172421.tif 000026
【図２５】
2006172421.tif 000027
【図２６】
2006172421.tif 000028
【図２７】
2006172421.tif 000029
【図２８】
2006172421.tif 000030
【図２９】
2006172421.tif 000031
【図３０】
2006172421.tif 000032
【図３１】
2006172421.tif 000033
【図３２】
2006172421.tif 000034
【図３３】
2006172421.tif 000035
【図３４】
2006172421.tif 000036
【図３５】
2006172421.tif 000037
【図３６】
2006172421.tif 000038
【手続補正書】
【提出日】平成17年10月7日(2005.10.7)
【手続補正１】
【補正対象書類名】特許請求の範囲
【補正対象項目名】全文
【補正方法】変更
【補正の内容】
【特許請求の範囲】
【請求項１】
記録媒体に記録されており、該記録媒体を識別するための媒体識別情報と、通信装置に記録されており、該通信装置を識別するための通信装置識別情報とを含む識別情報を前記通信装置から送信し、送信された識別情報を受信し、受信した識別情報に基づいて前記記録媒体の在所に関連する前記通信装置の在所を記憶する在所記憶装置を備える在所記憶システムにおいて、
前記記録媒体は、
その都度異なる発信番号を生成する生成手段を備え、
前記通信装置は、
前記記録媒体の媒体識別情報及び該記録媒体で生成された発信番号を取得する取得手段と、
取得した発信番号を前記在所記憶装置へ送信する送信手段と
を備え、
前記在所記憶装置は、
記録媒体の在所を特定する場所情報と媒体識別情報とを関連付けて記憶するとともに両情報の関連付けの有効無効を示す有効情報を記憶する手段と、
受信した発信番号を記憶する手段と、
受信した媒体識別情報に対して有効な場所情報が記憶されているか否かを判定する第１の判定手段と、
受信した発信番号に対して同一の発信番号が記憶されていないか否かを判定する第２の判定手段と
を備え、
前記通信装置は、
前記第１及び第２の判定手段により受信した媒体識別情報に対して有効な場所情報が記憶されていると判定され、かつ受信した発信番号に対して同一の発信番号が記憶されていないと判定された場合、前記媒体識別情報により識別される記録媒体の在所における前記通信装置の在不在を示す在不在情報を作成する作成手段をさらに備え、
作成した在不在情報を前記在所記憶装置へ送信すべくなしてあり、
前記在所記憶装置は、
送信された在不在情報を受信する在不在情報受信手段と、
前記在不在情報を受信した日時を検出する検出手段と、
受信した識別情報及び在不在情報並びに検出した日時を関連付けて記憶する手段と、
受信した識別情報及び在不在情報並びに検出した日時を含む在所情報を生成する在所情報生成手段と
をさらに備えることを特徴とする在所記憶システム。
【請求項２】
記録媒体に記録されており、該記録媒体を識別するための媒体識別情報と、通信装置に記録されており、該通信装置を識別するための通信装置識別情報とを含む識別情報を前記通信装置から送信し、送信された識別情報を受信し、受信した識別情報に基づいて前記記録媒体の在所に関連する前記通信装置の在所を記憶する在所記憶装置を備える在所記憶システムにおいて、
前記記録媒体は、
その都度異なる発信番号を生成する生成手段を備え、
前記通信装置は、
前記記録媒体の媒体識別情報及び該記録媒体で生成された発信番号を取得する取得手段と、
取得した発信番号を前記在所記憶装置へ送信する送信手段と、
画面を表示する画面表示手段と、
表示される画面を作成するための画面情報を受信する画面情報受信手段と
を備え、
前記在所記憶装置は、
記録媒体の在所を特定する場所情報と媒体識別情報とを関連付けて記憶するとともに両情報の関連付けの有効無効を示す有効情報を記憶する手段と、
受信した発信番号を記憶する手段と、
通信装置に関連する属性を特定する属性情報を通信装置識別情報に関連付けて記憶する手段と、
受信した媒体識別情報に対して有効な場所情報が記憶されているか否かを判定する第１の判定手段と、
受信した発信番号に対して同一の発信番号が記憶されていないか否かを判定する第２の判定手段と、
前記第１及び第２の判定手段により受信した媒体識別情報に対して有効な場所情報が記憶されていると判定され、かつ受信した発信番号に対して同一の発信番号が記憶されていないと判定された場合、受信した通信装置識別情報に基づいて属性情報を抽出する抽出手段と、
抽出した属性情報に基づいて、通信装置で表示される画面の画面情報を生成する画面情報生成手段と、
生成した画面情報を前記通信装置へ送信する画面情報送信手段と
を備え、
前記通信装置は、
受信した画面情報に基づいて該通信装置に関連する属性に応じて表示される画面を通じて、前記媒体識別情報により識別される記録媒体の在所における前記通信装置の在不在を示す在不在情報を作成する作成手段をさらに備え、
作成した在不在情報を前記在所記憶装置へ送信すべくなしてあり、
前記在所記憶装置は、
送信された在不在情報を受信する在不在情報受信手段と、
前記在不在情報を受信した日時を検出する検出手段と、
受信した識別情報及び在不在情報並びに検出した日時を関連付けて記憶する手段と、
受信した識別情報及び在不在情報並びに検出した日時を含む在所情報を生成する在所情報生成手段と
をさらに備えることを特徴とする在所記憶システム。
【請求項３】
記録媒体に記録されており、該記録媒体を識別するための媒体識別情報と、通信装置に記録されており、該通信装置を識別するための通信装置識別情報とを含む識別情報を前記通信装置から送信し、送信された識別情報を受信し、受信した識別情報に基づいて前記記録媒体の在所に関連する前記通信装置の在所を記憶する在所記憶装置を備える在所記憶システムにおいて、
前記記録媒体は、
その都度異なる発信番号を生成する生成手段を備え、
前記通信装置は、
前記記録媒体の媒体識別情報及び該記録媒体で生成された発信番号を取得する取得手段と、
記録媒体の在所を示す場所名を選択する手段と、
取得した発信番号及び選択された場所名を前記在所記憶装置へ送信する送信手段と
を備え、
前記在所記憶装置は、
場所名及び記録媒体の在所を特定する場所情報を関連付けて記憶する手段と、
受信した場所名に基づいて場所情報を抽出する手段と、
抽出した場所情報と受信した媒体識別情報とを関連付けて記憶するとともに両情報の関連付けの有効無効を示す有効情報を記憶する手段と、
受信した発信番号を記憶する手段と、
受信した媒体識別情報に対して有効な場所情報が記憶されているか否かを判定する第１の判定手段と、
受信した発信番号に対して同一の発信番号が記憶されていないか否かを判定する第２の判定手段と
を備え、
前記通信装置は、
前記第１及び第２の判定手段により受信した媒体識別情報に対して有効な場所情報が記憶されていると判定され、かつ受信した発信番号に対して同一の発信番号が記憶されていないと判定された場合、前記媒体識別情報により識別される記録媒体の在所における前記通信装置の在不在を示す在不在情報を作成する作成手段をさらに備え、
作成した在不在情報を前記在所記憶装置へ送信すべくなしてあり、
前記在所記憶装置は、
送信された在不在情報を受信する在不在情報受信手段と、
前記在不在情報を受信した日時を検出する検出手段と、
受信した識別情報及び在不在情報並びに検出した日時を関連付けて記憶する手段と、
受信した識別情報及び在不在情報並びに検出した日時を含む在所情報を生成する在所情報生成手段と
をさらに備えることを特徴とする在所記憶システム。
【請求項４】
記録媒体に記録されており、該記録媒体を識別するための媒体識別情報と、通信装置に記録されており、該通信装置を識別するための通信装置識別情報とを含む識別情報を前記通信装置から送信し、送信された識別情報を受信し、受信した識別情報に基づいて前記記録媒体の在所に関連する前記通信装置の在所を記憶する在所記憶装置を備える在所記憶システムにおいて、
前記記録媒体は、
その都度異なる発信番号を生成する生成手段と、
他の通信装置から該他の通信装置を識別する通信装置識別情報を取得する手段と、
取得した通信装置識別情報を記録する記録手段と
を備え、
一の通信装置は、
前記記録媒体が記録した通信装置識別情報、前記記録媒体の媒体識別情報及び該記録媒体で生成された発信番号を取得する取得手段と、
前記記録媒体から取得した通信装置識別情報及び発信番号を前記在所記憶装置へ送信する送信手段と
を備え、
前記在所記憶装置は、
記録媒体の在所を特定する場所情報と媒体識別情報とを関連付けて記憶するとともに両情報の関連付けの有効無効を示す有効情報を記憶する手段と、
受信した発信番号を記憶する手段と、
受信した媒体識別情報に対して有効な場所情報が記憶されているか否かを判定する第１の判定手段と、
受信した発信番号に対して同一の発信番号が記憶されていないか否かを判定する第２の判定手段と
を備え、
前記一の通信装置は、
前記第１及び第２の判定手段により受信した媒体識別情報に対して有効な場所情報が記憶されていると判定され、かつ受信した発信番号に対して同一の発信番号が記憶されていないと判定された場合、前記媒体識別情報により識別される記録媒体の在所における前記一の通信装置及び他の通信装置の在不在を示す在不在情報を作成する作成手段をさらに備え、
作成した在不在情報を前記在所記憶装置へ送信すべくなしてあり、
前記在所記憶装置は、
送信された在不在情報を受信する在不在情報受信手段と、
前記在不在情報を受信した日時を検出する検出手段と、
受信した識別情報及び在不在情報並びに検出した日時を関連付けて記憶する手段と、
受信した識別情報及び在不在情報並びに検出した日時を含む在所情報を生成する在所情報生成手段と
をさらに備えることを特徴とする在所記憶システム。
【請求項５】
識別情報を追加、変更又は削除する更新手段を備えることを特徴とする請求項１乃至請求項４のいずれかに記載の在所記憶システム。
【請求項６】
前記在所記憶装置は、
通信装置から受信した媒体識別情報を暗号化する暗号化手段と、
前記暗号化手段が暗号化した媒体識別情報を前記通信装置へ送信する媒体識別情報送信手段と
を備え、
前記通信装置は、
前記暗号化した媒体識別情報を受信する媒体識別情報受信手段と、
暗号化した媒体識別情報を表示する媒体識別情報表示手段と
を備え、
前記在所記憶装置は、
他の通信装置で入力された前記暗号化した媒体識別情報を受信する媒体識別情報受信手段と、
前記暗号化した媒体識別情報を復号する復号手段と
を備え、
前記判定手段は、
復号された媒体識別情報が予め記憶された媒体識別情報と一致するか否かを判定するように構成してあることを特徴とする請求項１乃至請求項５のいずれかに記載の在所記憶システム。
【請求項７】
前記記録媒体は、
前記通信装置と通信するための通信情報を記録してあり、
通信情報を追加、変更又は削除する更新手段を備えていることを特徴とする請求項１乃至請求項６のいずれかに記載の在所記憶システム。
【請求項８】
前記記録媒体は、
前記通信装置が前記在所記憶装置と通信するための通信手段を備え、
前記通信装置は、前記通信手段に基づいて前記在所記憶装置と通信するようにしてあることを特徴とする請求項１乃至請求項７のいずれかに記載の在所記憶システム。
【請求項９】
前記通信装置は、
第１の時間を計時する計時手段と、
前記媒体識別情報の取得を禁止する禁止手段と
を備え、
該禁止手段は、
前記第１の時間以内に、前記取得手段が媒体識別情報を取得しない場合に、該媒体識別情報の取得を禁止するようにしてあることを特徴とする請求項１乃至請求項８のいずれかに記載の在所記憶システム。
【請求項１０】
前記在所記憶装置は、
第２の時間を計時する計時手段と、
前記在不在情報の受信を禁止する禁止手段と
を備え、
該禁止手段は、
前記第２の時間以内に、前記在不在情報受信手段が在不在情報を受信しない場合に、該在不在情報の受信を禁止するようにしてあることを特徴とする請求項１乃至請求項８のいずれかに記載の在所記憶システム。
【請求項１１】
前記通信装置は、
第３の時間を計時する計時手段と、
前記在不在情報の作成を禁止する禁止手段と
を備え、
該禁止手段は、
前記第３の時間以内に、前記作成手段が在不在情報を作成しない場合に、該在不在情報の作成を禁止するようにしてあることを特徴とする請求項１乃至請求項８のいずれかに記載の在所記憶システム。
【請求項１２】
記録媒体に記録されており、該記録媒体を識別するための媒体識別情報と、通信装置に記録されており、該通信装置を識別するための通信装置識別情報とを含む識別情報を前記通信装置から送信し、送信された識別情報を受信し、受信した識別情報に基づいて前記記録媒体の在所に関連する前記通信装置の在所を記憶する在所記憶装置において、
記録媒体の在所を特定する場所情報と媒体識別情報とを関連付けて記憶するとともに両情報の関連付けの有効無効を示す有効情報を記憶する手段と、
受信した発信番号を記憶する手段と、
受信した媒体識別情報に対して有効な場所情報が記憶されているか否かを判定する第１の判定手段と、
受信した発信番号に対して同一の発信番号が記憶されていないか否かを判定する第２の判定手段と、
前記第１及び第２の判定手段により受信した媒体識別情報に対して有効な場所情報が記憶されていると判定し、かつ受信した発信番号に対して同一の発信番号が記憶されていないと判定した場合、前記通信装置で生成され、前記媒体識別情報により識別される記録媒体の在所における前記通信装置の在不在を示す在不在情報を受信する在不在情報受信手段と、
前記在不在情報を受信した日時を検出する検出手段と、
受信した識別情報及び在不在情報並びに検出した日時を関連付けて記憶する手段と、
受信した識別情報及び在不在情報並びに検出した日時を含む在所情報を生成する在所情報生成手段と
を備えることを特徴とする在所記憶装置。
【請求項１３】
コンピュータに、記録媒体に記録されており、該記録媒体を識別するための媒体識別情報と、通信装置に記録されており、該通信装置を識別するための通信装置識別情報とを含む識別情報を前記通信装置から送信し、送信された識別情報を受信し、受信した識別情報に基づいて前記記録媒体の在所に関連する前記通信装置の在所を記憶するためのコンピュータプログラムにおいて、
記録媒体の在所を特定する場所情報と媒体識別情報とを関連付けて記憶するとともに両情報の関連付けの有効無効を示す有効情報を記憶する手段と、
受信した発信番号を記憶する手段と、
受信した媒体識別情報に対して有効な場所情報が記憶されているか否かを判定する第１の判定手段と、
受信した発信番号に対して同一の発信番号が記憶されていないか否かを判定する第２の判定手段と、
前記第１及び第２の判定手段により受信した媒体識別情報に対して有効な場所情報が記憶されていると判定し、かつ受信した発信番号に対して同一の発信番号が記憶されていないと判定した場合、前記通信装置で生成され、前記媒体識別情報により識別される記録媒体の在所における前記通信装置の在不在を示す在不在情報を受信する在不在情報受信手段と、
前記在不在情報を受信した日時を検出する検出手段と、
受信した識別情報及び在不在情報並びに検出した日時を関連付けて記憶する手段と、
受信した識別情報及び在不在情報並びに検出した日時を含む在所情報を生成する在所情報生成手段として機能させることを特徴とするコンピュータプログラム。
【請求項１４】
記録媒体に記録されており、該記録媒体を識別するための媒体識別情報と、通信装置に記録されており、該通信装置を識別するための通信装置識別情報とを含む識別情報を前記通信装置から送信し、送信された識別情報を受信し、受信した識別情報に基づいて前記記録媒体の在所に関連する前記通信装置の在所を記憶する在所記憶方法において、
前記記録媒体は、
その都度異なる発信番号を生成し、
前記通信装置は、
前記記録媒体の媒体識別情報及び該記録媒体で生成された発信番号を取得し、
取得した発信番号を前記在所記憶装置へ送信し、
前記在所記憶装置は、
記録媒体の在所を特定する場所情報と媒体識別情報とを関連付けて記憶するとともに両情報の関連付けの有効無効を示す有効情報を記憶し、
受信した発信番号を記憶し、
受信した媒体識別情報に対して有効な場所情報が記憶されているか否かを判定し、
受信した発信番号に対して同一の発信番号が記憶されていないか否かを判定し、
前記通信装置は、
受信した媒体識別情報に対して有効な場所情報が記憶されていると判定され、かつ受信した発信番号に対して同一の発信番号が記憶されていないと判定された場合、前記媒体識別情報により識別される記録媒体の在所における前記通信装置の在不在を示す在不在情報を作成し、
作成した在不在情報を前記在所記憶装置へ送信し、
前記在所記憶装置は、
送信された在不在情報を受信し、
前記在不在情報を受信した日時を検出し、
受信した識別情報及び在不在情報並びに検出した日時を関連付けて記憶し、
受信した識別情報及び在不在情報並びに検出した日時を含む在所情報を生成することを特徴とする在所記憶システム。
【手続補正２】
【補正対象書類名】明細書
【補正対象項目名】００１０
【補正方法】変更
【補正の内容】
【００１０】
本発明は、斯かる事情に鑑みてなされたものであり、通信装置は、記録媒体がその都度生成する発信番号及び媒体識別情報を在所記憶装置へ送信し、該在所記憶装置は、記録媒体の在所を特定する場所情報と媒体識別情報とを関連付けて記憶するとともに両情報の関連付けの有効無効を示す有効情報を記憶し、受信した媒体識別情報に対して有効な場所情報が記憶されていると判定し、かつ受信した発信番号に対して同一の発信番号が記憶されていないと判定した場合、前記通信装置は、前記媒体識別情報により識別される記録媒体の在所における前記通信装置の在不在を示す在不在情報を作成する作成手段を備え、前記在所記憶装置は、作成された在不在情報を受信し、受信した識別情報及び在不在情報並びに該在不在情報を受信した日時を関連付けて記憶するとともに、受信した識別情報及び在不在情報並びに前記日時を含む在所情報を生成する在所情報生成手段を備えることにより、作業場所の状況に拘わらず、従来に比較して安価で、正確に通信装置の在所を記憶することができるとともに、記録媒体の不正使用を防止して、通信装置の在所をリアルタイムで把握することができる在所記憶システム、該在所記憶システムを構成する在所記憶装置、該在所記憶装置を実現するコンピュータプログラム、及び在所記憶方法を提供することを目的とする。
【手続補正３】
【補正対象書類名】明細書
【補正対象項目名】００１１
【補正方法】変更
【補正の内容】
【００１１】
また、本発明の他の目的は、通信装置は、記録媒体がその都度生成する発信番号及び媒体識別情報を在所記憶装置へ送信し、該在所記憶装置は、記録媒体の在所を特定する場所情報と媒体識別情報とを関連付けて記憶するとともに両情報の関連付けの有効無効を示す有効情報を記憶し、通信装置に関連する属性を特定する属性情報を通信装置識別情報に関連付けて記憶し、受信した媒体識別情報に対して有効な場所情報が記憶されていると判定し、かつ受信した発信番号に対して同一の発信番号が記憶されていないと判定した場合、受信した通信装置識別情報に基づいて属性情報を抽出する抽出手段と、抽出された属性情報に応じた画面情報を前記通信装置へ送信し、前記通信装置は、前記画面情報に基づいて表示される画面を通じて、前記媒体識別情報により識別される記録媒体の在所における前記通信装置の在不在を示す在不在情報を作成する作成手段を備え、前記在所記憶装置は、作成された在不在情報を受信し、受信した識別情報及び在不在情報並びに該在不在情報を
受信した日時を関連付けて記憶するとともに、受信した識別情報及び在不在情報並びに前記日時を含む在所情報を生成する在所情報生成手段を備えることにより、作業場所の状況に拘わらず、従来に比較して安価で、正確に通信装置の在所を記憶することができ、記録媒体の不正使用を防止して、通信装置の在所をリアルタイムで把握することができるとともに、通信装置に関連する属性に応じて通信装置で表示させる画面を変更することができ、通信装置を携帯するユーザの利便性を向上することができる在所記憶システムを提供することにある。
【手続補正４】
【補正対象書類名】明細書
【補正対象項目名】００１２
【補正方法】変更
【補正の内容】
【００１２】
また、本発明の他の目的は、通信装置は、記録媒体の在所を示す場所名を選択する手段を備え、記録媒体がその都度生成する発信番号、媒体識別情報及び選択された場所名を在所記憶装置へ送信し、該在所記憶装置は、場所名及び記録媒体の在所を特定する場所情報を関連付けて記憶し、受信した場所名に基づいて場所情報を抽出し、抽出した場所情報と媒体識別情報とを関連付けて記憶するとともに両情報の関連付けの有効無効を示す有効情報を記憶し、受信した媒体識別情報に対して有効な場所情報が記憶されていると判定し、かつ受信した発信番号に対して同一の発信番号が記憶されていないと判定した場合、前記通信装置は、前記媒体識別情報により識別される記録媒体の在所における前記通信装置の在不在を示す在不在情報を作成する作成手段を備え、前記在所記憶装置は、作成された在不在情報を受信し、受信した識別情報及び在不在情報並びに該在不在情報を受信した日時を関連付けて記憶するとともに、受信した識別情報及び在不在情報並びに前記日時を含む在所情報を生成する在所情報生成手段を備えることにより、作業場所の状況に拘わらず、従来に比較して安価で、正確に通信装置の在所を記憶することができ、記録媒体の不正使用を防止して、通信装置の在所をリアルタイムで把握することができるとともに、記録媒体と該記録媒体が設置されている所定の場所とを対応付けることができ、一の場所で使用済になった記録媒体を他の場所で再度使用することができ、記録媒体を有効に利用することができる在所記憶システムを提供することにある。
【手続補正５】
【補正対象書類名】明細書
【補正対象項目名】００１３
【補正方法】変更
【補正の内容】
【００１３】
また、本発明の他の目的は、記録媒体は、他の通信装置から該他の通信装置を識別する通信装置識別情報を取得し、取得した通信装置識別情報を記録する記録手段を備え、一の通信装置は、記録媒体がその都度生成する発信番号及び媒体識別情報を在所記憶装置へ送信し、該在所記憶装置は、記録媒体の在所を特定する場所情報と媒体識別情報とを関連付けて記憶するとともに両情報の関連付けの有効無効を示す有効情報を記憶し、受信した媒体識別情報に対して有効な場所情報が記憶されていると判定し、かつ受信した発信番号に対して同一の発信番号が記憶されていないと判定した場合、前記一の通信装置は、前記媒体識別情報により識別される記録媒体の在所における前記通信装置及び他の通信装置の在不在を示す在不在情報を作成する作成手段を備え、前記在所記憶装置は、作成された在不在情報を受信し、受信した識別情報及び在不在情報並びに該在不在情報を受信した日時を関連付けて記憶するとともに、受信した識別情報及び在不在情報並びに前記日時を含む在所情報を生成する在所情報生成手段を備えることにより、作業場所の状況に拘わらず、従来に比較して安価で、正確に通信装置の在所を記憶することができ、記録媒体の不正使用を防止して、通信装置の在所をリアルタイムで把握することができるとともに、複数のユ
ーザが同一時間帯に作業を開始又は終了する場合でも、一括して在不在情報を作成することができる在所記憶システムを提供することにある。
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００２３
【補正方法】変更
【補正の内容】
【００２３】
第１発明に係る在所記憶システムは、記録媒体に記録されており、該記録媒体を識別するための媒体識別情報と、通信装置に記録されており、該通信装置を識別するための通信装置識別情報とを含む識別情報を前記通信装置から送信し、送信された識別情報を受信し、受信した識別情報に基づいて前記記録媒体の在所に関連する前記通信装置の在所を記憶する在所記憶装置を備える在所記憶システムにおいて、前記記録媒体は、その都度異なる発信番号を生成する生成手段を備え、前記通信装置は、前記記録媒体の媒体識別情報及び該記録媒体で生成された発信番号を取得する取得手段と、取得した発信番号を前記在所記憶装置へ送信する送信手段とを備え、前記在所記憶装置は、記録媒体の在所を特定する場所情報と媒体識別情報とを関連付けて記憶するとともに両情報の関連付けの有効無効を示す有効情報を記憶する手段と、受信した発信番号を記憶する手段と、受信した媒体識別情報に対して有効な場所情報が記憶されているか否かを判定する第１の判定手段と、受信した発信番号に対して同一の発信番号が記憶されていないか否かを判定する第２の判定手段とを備え、前記通信装置は、前記第１及び第２の判定手段により受信した媒体識別情報に対して有効な場所情報が記憶されていると判定され、かつ受信した発信番号に対して同一の発信番号が記憶されていないと判定された場合、前記媒体識別情報により識別される記録媒体の在所における前記通信装置の在不在を示す在不在情報を作成する作成手段をさらに備え、作成した在不在情報を前記在所記憶装置へ送信すべくなしてあり、前記在所記憶装置は、送信された在不在情報を受信する在不在情報受信手段と、前記在不在情報を受信した日時を検出する検出手段と、受信した識別情報及び在不在情報並びに検出した日時を関連付けて記憶する手段と、受信した識別情報及び在不在情報並びに検出した日時を含む在所情報を生成する在所情報生成手段とをさらに備えることを特徴とする。
【手続補正９】
【補正対象書類名】明細書
【補正対象項目名】００２４
【補正方法】変更
【補正の内容】
【００２４】
第２発明に係る在所記憶システムは、記録媒体に記録されており、該記録媒体を識別するための媒体識別情報と、通信装置に記録されており、該通信装置を識別するための通信装置識別情報とを含む識別情報を前記通信装置から送信し、送信された識別情報を受信し、受信した識別情報に基づいて前記記録媒体の在所に関連する前記通信装置の在所を記憶する在所記憶装置を備える在所記憶システムにおいて、前記記録媒体は、その都度異なる発信番号を生成する生成手段を備え、前記通信装置は、前記記録媒体の媒体識別情報及び該記録媒体で生成された発信番号を取得する取得手段と、取得した発信番号を前記在所記
憶装置へ送信する送信手段と、画面を表示する画面表示手段と、表示される画面を作成するための画面情報を受信する画面情報受信手段とを備え、前記在所記憶装置は、記録媒体の在所を特定する場所情報と媒体識別情報とを関連付けて記憶するとともに両情報の関連付けの有効無効を示す有効情報を記憶する手段と、受信した発信番号を記憶する手段と、通信装置に関連する属性を特定する属性情報を通信装置識別情報に関連付けて記憶する手段と、受信した媒体識別情報に対して有効な場所情報が記憶されているか否かを判定する第１の判定手段と、受信した発信番号に対して同一の発信番号が記憶されていないか否かを判定する第２の判定手段と、前記第１及び第２の判定手段により受信した媒体識別情報に対して有効な場所情報が記憶されていると判定され、かつ受信した発信番号に対して同一の発信番号が記憶されていないと判定された場合、受信した通信装置識別情報に基づいて属性情報を抽出する抽出手段と、抽出した属性情報に基づいて、通信装置で表示される画面の画面情報を生成する画面情報生成手段と、生成した画面情報を前記通信装置へ送信する画面情報送信手段とを備え、前記通信装置は、受信した画面情報に基づいて該通信装置に関連する属性に応じて表示される画面を通じて、前記媒体識別情報により識別される記録媒体の在所における前記通信装置の在不在を示す在不在情報を作成する作成手段をさらに備え、作成した在不在情報を前記在所記憶装置へ送信すべくなしてあり、前記在所記憶装置は、送信された在不在情報を受信する在不在情報受信手段と、前記在不在情報を受信した日時を検出する検出手段と、受信した識別情報及び在不在情報並びに検出した日時を関連付けて記憶する手段と、受信した識別情報及び在不在情報並びに検出した日時を含む在所情報を生成する在所情報生成手段とをさらに備えることを特徴とする。
【手続補正１０】
【補正対象書類名】明細書
【補正対象項目名】００２５
【補正方法】変更
【補正の内容】
【００２５】
第３発明に係る在所記憶システムは、記録媒体に記録されており、該記録媒体を識別するための媒体識別情報と、通信装置に記録されており、該通信装置を識別するための通信装置識別情報とを含む識別情報を前記通信装置から送信し、送信された識別情報を受信し、受信した識別情報に基づいて前記記録媒体の在所に関連する前記通信装置の在所を記憶する在所記憶装置を備える在所記憶システムにおいて、前記記録媒体は、その都度異なる発信番号を生成する生成手段を備え、前記通信装置は、前記記録媒体の媒体識別情報及び該記録媒体で生成された発信番号を取得する取得手段と、記録媒体の在所を示す場所名を選択する手段と、取得した発信番号及び選択された場所名を前記在所記憶装置へ送信する送信手段とを備え、前記在所記憶装置は、場所名及び記録媒体の在所を特定する場所情報を関連付けて記憶する手段と、受信した場所名に基づいて場所情報を抽出する手段と、抽出した場所情報と受信した媒体識別情報とを関連付けて記憶するとともに両情報の関連付けの有効無効を示す有効情報を記憶する手段と、受信した発信番号を記憶する手段と、受信した媒体識別情報に対して有効な場所情報が記憶されているか否かを判定する第１の判定手段と、受信した発信番号に対して同一の発信番号が記憶されていないか否かを判定する第２の判定手段とを備え、前記通信装置は、前記第１及び第２の判定手段により受信した媒体識別情報に対して有効な場所情報が記憶されていると判定され、かつ受信した発信番号に対して同一の発信番号が記憶されていないと判定された場合、前記媒体識別情報により識別される記録媒体の在所における前記通信装置の在不在を示す在不在情報を作成する作成手段をさらに備え、作成した在不在情報を前記在所記憶装置へ送信すべくなしてあり、前記在所記憶装置は、送信された在不在情報を受信する在不在情報受信手段と、前記在不在情報を受信した日時を検出する検出手段と、受信した識別情報及び在不在情報並びに検出した日時を関連付けて記憶する手段と、受信した識別情報及び在不在情報並びに検出した日時を含む在所情報を生成する在所情報生成手段とをさらに備えることを特徴とする。
【手続補正１１】
【補正対象書類名】明細書
【補正対象項目名】００２６
【補正方法】変更
【補正の内容】
【００２６】
第４発明に係る在所記憶システムは、記録媒体に記録されており、該記録媒体を識別するための媒体識別情報と、通信装置に記録されており、該通信装置を識別するための通信装置識別情報とを含む識別情報を前記通信装置から送信し、送信された識別情報を受信し、受信した識別情報に基づいて前記記録媒体の在所に関連する前記通信装置の在所を記憶する在所記憶装置を備える在所記憶システムにおいて、前記記録媒体は、その都度異なる発信番号を生成する生成手段と、他の通信装置から該他の通信装置を識別する通信装置識別情報を取得する手段と、取得した通信装置識別情報を記録する記録手段とを備え、一の通信装置は、前記記録媒体が記録した通信装置識別情報、前記記録媒体の媒体識別情報及び該記録媒体で生成された発信番号を取得する取得手段と、前記記録媒体から取得した通信装置識別情報及び発信番号を前記在所記憶装置へ送信する送信手段とを備え、前記在所記憶装置は、記録媒体の在所を特定する場所情報と媒体識別情報とを関連付けて記憶するとともに両情報の関連付けの有効無効を示す有効情報を記憶する手段と、受信した発信番号を記憶する手段と、受信した媒体識別情報に対して有効な場所情報が記憶されているか否かを判定する第１の判定手段と、受信した発信番号に対して同一の発信番号が記憶されていないか否かを判定する第２の判定手段とを備え、前記一の通信装置は、前記第１及び第２の判定手段により受信した媒体識別情報に対して有効な場所情報が記憶されていると判定され、かつ受信した発信番号に対して同一の発信番号が記憶されていないと判定された場合、前記媒体識別情報により識別される記録媒体の在所における前記一の通信装置及び他の通信装置の在不在を示す在不在情報を作成する作成手段をさらに備え、作成した在不在情報を前記在所記憶装置へ送信すべくなしてあり、前記在所記憶装置は、送信された在不在情報を受信する在不在情報受信手段と、前記在不在情報を受信した日時を検出する検出手段と、受信した識別情報及び在不在情報並びに検出した日時を関連付けて記憶する手段と、受信した識別情報及び在不在情報並びに検出した日時を含む在所情報を生成する在所情報生成手段とをさらに備えることを特徴とする。
【手続補正１２】
【補正対象書類名】明細書
【補正対象項目名】００２９
【補正方法】削除
【補正の内容】
【手続補正１３】
【補正対象書類名】明細書
【補正対象項目名】００３０
【補正方法】削除
【補正の内容】
【手続補正１４】
【補正対象書類名】明細書
【補正対象項目名】００３１
【補正方法】変更
【補正の内容】
【００３１】
第７発明に係る在所記憶システムは、第１発明乃至第６発明のいずれかにおいて、前記記録媒体は、前記通信装置と通信するための通信情報を記録してあり、通信情報を追加、変更又は削除する更新手段を備えていることを特徴とする。
【手続補正１５】
【補正対象書類名】明細書
【補正対象項目名】００３２
【補正方法】変更
【補正の内容】
【００３２】
第８発明に係る在所記憶システムは、第１発明乃至第７発明のいずれかにおいて、前記記録媒体は、前記通信装置が前記在所記憶装置と通信するための通信手段を備え、前記通信装置は、前記通信手段に基づいて前記在所記憶装置と通信するようにしてあることを特徴とする。
【手続補正１６】
【補正対象書類名】明細書
【補正対象項目名】００３３
【補正方法】変更
【補正の内容】
【００３３】
第９発明に係る在所記憶システムは、第１発明乃至第８発明のいずれかにおいて、前記通信装置は、第１の時間を計時する計時手段と、前記媒体識別情報の取得を禁止する禁止手段とを備え、該禁止手段は、前記第１の時間以内に、前記取得手段が媒体識別情報を取得しない場合に、該媒体識別情報の取得を禁止するようにしてあることを特徴とする。
【手続補正１７】
【補正対象書類名】明細書
【補正対象項目名】００３４
【補正方法】変更
【補正の内容】
【００３４】
第１０発明に係る在所記憶システムは、第１発明乃至第８発明のいずれかにおいて、前記在所記憶装置は、第２の時間を計時する計時手段と、前記在不在情報の受信を禁止する禁止手段とを備え、該禁止手段は、前記第２の時間以内に、前記在不在情報受信手段が在不在情報を受信しない場合に、該在不在情報の受信を禁止するようにしてあることを特徴とする。
【手続補正１８】
【補正対象書類名】明細書
【補正対象項目名】００３５
【補正方法】変更
【補正の内容】
【００３５】
第１１発明に係る在所記憶システムは、第１発明乃至第８発明のいずれかにおいて、前記通信装置は、第３の時間を計時する計時手段と、前記在不在情報の作成を禁止する禁止手段とを備え、該禁止手段は、前記第３の時間以内に、前記作成手段が在不在情報を作成しない場合に、該在不在情報の作成を禁止するようにしてあることを特徴とする。
【手続補正１９】
【補正対象書類名】明細書
【補正対象項目名】００３６
【補正方法】変更
【補正の内容】
【００３６】
第１２発明に係る在所記憶装置は、記録媒体に記録されており、該記録媒体を識別するための媒体識別情報と、通信装置に記録されており、該通信装置を識別するための通信装置識別情報とを含む識別情報を前記通信装置から送信し、送信された識別情報を受信し、受信した識別情報に基づいて前記記録媒体の在所に関連する前記通信装置の在所を記憶する在所記憶装置において、記録媒体の在所を特定する場所情報と媒体識別情報とを関連付けて記憶するとともに両情報の関連付けの有効無効を示す有効情報を記憶する手段と、受
信した発信番号を記憶する手段と、受信した媒体識別情報に対して有効な場所情報が記憶されているか否かを判定する第１の判定手段と、受信した発信番号に対して同一の発信番号が記憶されていないか否かを判定する第２の判定手段と、前記第１及び第２の判定手段により受信した媒体識別情報に対して有効な場所情報が記憶されていると判定し、かつ受信した発信番号に対して同一の発信番号が記憶されていないと判定した場合、前記通信装置で生成され、前記媒体識別情報により識別される記録媒体の在所における前記通信装置の在不在を示す在不在情報を受信する在不在情報受信手段と、前記在不在情報を受信した日時を検出する検出手段と、受信した識別情報及び在不在情報並びに検出した日時を関連付けて記憶する手段と、受信した識別情報及び在不在情報並びに検出した日時を含む在所情報を生成する在所情報生成手段とを備えることを特徴とする。
【手続補正２０】
【補正対象書類名】明細書
【補正対象項目名】００３７
【補正方法】変更
【補正の内容】
【００３７】
第１３発明に係るコンピュータプログラムは、コンピュータに、記録媒体に記録されており、該記録媒体を識別するための媒体識別情報と、通信装置に記録されており、該通信装置を識別するための通信装置識別情報とを含む識別情報を前記通信装置から送信し、送信された識別情報を受信し、受信した識別情報に基づいて前記記録媒体の在所に関連する前記通信装置の在所を記憶するためのコンピュータプログラムにおいて記録媒体の在所を特定する場所情報と媒体識別情報とを関連付けて記憶するとともに両情報の関連付けの有効無効を示す有効情報を記憶する手段と、受信した発信番号を記憶する手段と、受信した媒体識別情報に対して有効な場所情報が記憶されているか否かを判定する第１の判定手段と、受信した発信番号に対して同一の発信番号が記憶されていないか否かを判定する第２の判定手段と、前記第１及び第２の判定手段により受信した媒体識別情報に対して有効な場所情報が記憶されていると判定し、かつ受信した発信番号に対して同一の発信番号が記憶されていないと判定した場合、前記通信装置で生成され、前記媒体識別情報により識別される記録媒体の在所における前記通信装置の在不在を示す在不在情報を受信する在不在情報受信手段と、前記在不在情報を受信した日時を検出する検出手段と、受信した識別情報及び在不在情報並びに検出した日時を関連付けて記憶する手段と、受信した識別情報及び在不在情報並びに検出した日時を含む在所情報を生成する在所情報生成手段として機能させることを特徴とする。
【手続補正２１】
【補正対象書類名】明細書
【補正対象項目名】００３８
【補正方法】変更
【補正の内容】
【００３８】
第１４発明に係る在所記憶方法は、記録媒体に記録されており、該記録媒体を識別するための媒体識別情報と、通信装置に記録されており、該通信装置を識別するための通信装置識別情報とを含む識別情報を前記通信装置から送信し、送信された識別情報を受信し、受信した識別情報に基づいて前記記録媒体の在所に関連する前記通信装置の在所を記憶する在所記憶方法において、前記記録媒体は、その都度異なる発信番号を生成し、前記通信装置は、前記記録媒体の媒体識別情報及び該記録媒体で生成された発信番号を取得し、取得した発信番号を前記在所記憶装置へ送信し、前記在所記憶装置は、記録媒体の在所を特定する場所情報と媒体識別情報とを関連付けて記憶するとともに両情報の関連付けの有効無効を示す有効情報を記憶し、受信した発信番号を記憶し、受信した媒体識別情報に対して有効な場所情報が記憶されているか否かを判定し、  受信した発信番号に対して同一の発信番号が記憶されていないか否かを判定し、前記通信装置は、受信した媒体識別情報に
対して有効な場所情報が記憶されていると判定され、かつ受信した発信番号に対して同一の発信番号が記憶されていないと判定された場合、前記媒体識別情報により識別される記録媒体の在所における前記通信装置の在不在を示す在不在情報を作成し、作成した在不在情報を前記在所記憶装置へ送信し、前記在所記憶装置は、送信された在不在情報を受信し、前記在不在情報を受信した日時を検出し、受信した識別情報及び在不在情報並びに検出した日時を関連付けて記憶し、受信した識別情報及び在不在情報並びに検出した日時を含む在所情報を生成することを特徴とする。
【手続補正２２】
【補正対象書類名】明細書
【補正対象項目名】００３９
【補正方法】変更
【補正の内容】
【００３９】
第１発明、第１２発明、第１３発明及び第１４発明にあっては、記録媒体が、その都度異なる発信番号を生成する。通信装置は、所定の場所に設置された記録媒体から該記録媒体が生成した発信番号及び該記録媒体を識別する媒体識別情報を取得する。前記通信装置は、通信装置識別情報と取得した媒体識別情報とを含む識別情報、及び取得した発信番号を在所記憶装置へ送信する。前記在所記憶装置は、予め記録媒体の在所を特定する場所情報と媒体識別情報とを関連付けて記憶してあるとともに両情報の関連付けの有効無効を示す有効情報を記憶してある。また、前記在所記憶装置は、過去に受信した発信番号を記憶してある。前記在所記憶装置は、まず受信した媒体識別情報に対して有効な場所情報が記憶されているか否かを判定する。有効な場所情報が記憶されている場合、前記在所記憶装置は、受信した媒体識別情報が有効であると判定し、受信した発信番号に対して同一の発信番号が記憶されていないか否かを判定する。同一の発信番号が記憶されていない場合、前記在所記憶装置は、受信した発信番号が有効であると判定する。前記記録媒体の在所における前記通信装置の在不在を示す在不在情報を前記通信装置で作成し、該通信装置は、作成した在不在情報を前記在所記憶装置へ送信し、前記在所記憶装置は、送信された在不在情報を受信するとともに、前記在不在情報を受信した日時を検出する。前記在所記憶装置は、受信した識別情報及び在不在情報並びに検出した日時を関連付けて記憶する。前記在所記憶装置は、受信した識別情報及び在不在情報並びに検出した日時を含む在所情報を生成する。
【手続補正２３】
【補正対象書類名】明細書
【補正対象項目名】００４０
【補正方法】変更
【補正の内容】
【００４０】
第２発明にあっては、記録媒体が、その都度異なる発信番号を生成する。通信装置は、所定の場所に設置された記録媒体から該記録媒体が生成した発信番号及び該記録媒体を識別する媒体識別情報を取得する。前記通信装置は、通信装置識別情報と取得した媒体識別情報とを含む識別情報、及び取得した発信番号を在所記憶装置へ送信する。前記在所記憶装置は、予め記録媒体の在所を特定する場所情報と媒体識別情報とを関連付けて記憶してあるとともに両情報の関連付けの有効無効を示す有効情報を記憶してある。また、前記在所記憶装置は、過去に受信した発信番号を記憶してあり、通信装置に関連する属性を特定する属性情報を通信装置識別情報に関連付けて記憶してある。前記在所記憶装置は、まず受信した媒体識別情報に対して有効な場所情報が記憶されているか否かを判定する。有効な場所情報が記憶されている場合、前記在所記憶装置は、受信した媒体識別情報が有効であると判定し、受信した発信番号に対して同一の発信番号が記憶されていないか否かを判定する。同一の発信番号が記憶されていない場合、前記在所記憶装置は、受信した発信番号が有効であると判定し、受信した通信装置識別情報に基づいて属性情報を抽出する。前
記在所記憶装置は、抽出した属性情報に基づいて、通信装置で表示される画面の画面情報を生成し、生成した画面情報を前記通信装置へ送信する。前記通信装置は、受信した画面情報に基づいて該通信装置に関連する属性に応じて表示される画面を通じて、前記媒体識別情報により識別される記録媒体の在所における前記通信装置の在不在を示す在不在情報を作成し、作成した在不在情報を前記在所記憶装置へ送信する。前記在所記憶装置は、送信された在不在情報を受信するとともに、前記在不在情報を受信した日時を検出する。前記在所記憶装置は、受信した識別情報及び在不在情報並びに検出した日時を関連付けて記憶する。前記在所記憶装置は、受信した識別情報及び在不在情報並びに検出した日時を含む在所情報を生成する。
【手続補正２４】
【補正対象書類名】明細書
【補正対象項目名】００４１
【補正方法】変更
【補正の内容】
【００４１】
第３発明にあっては、記録媒体が、その都度異なる発信番号を生成する。通信装置は、所定の場所に設置された記録媒体から該記録媒体が生成した発信番号及び該記録媒体を識別する媒体識別情報を取得する。前記通信装置は、通信装置識別情報と取得した媒体識別情報とを含む識別情報、取得した発信番号及び選択された場所名を在所記憶装置へ送信する。前記在所記憶装置は、予め場所名及び記録媒体の在所を特定する場所情報を関連付けて記憶してあり、受信した場所名に基づいて場所情報を抽出し、抽出した場所情報と受信した媒体識別情報とを関連付けて記憶してあるとともに両情報の関連付けの有効無効を示す有効情報を記憶してある。また、前記在所記憶装置は、過去に受信した発信番号を記憶してある。前記在所記憶装置は、まず受信した媒体識別情報に対して有効な場所情報が記憶されているか否かを判定する。有効な場所情報が記憶されている場合、前記在所記憶装置は、受信した媒体識別情報が有効であると判定し、受信した発信番号に対して同一の発信番号が記憶されていないか否かを判定する。同一の発信番号が記憶されていない場合、前記在所記憶装置は、受信した発信番号が有効であると判定する。前記記録媒体の在所における前記通信装置の在不在を示す在不在情報を前記通信装置で作成し、該通信装置は、作成した在不在情報を前記在所記憶装置へ送信し、前記在所記憶装置は、送信された在不在情報を受信するとともに、前記在不在情報を受信した日時を検出する。前記在所記憶装置は、受信した識別情報及び在不在情報並びに検出した日時を関連付けて記憶する。前記在所記憶装置は、受信した識別情報及び在不在情報並びに検出した日時を含む在所情報を生成する。
【手続補正２５】
【補正対象書類名】明細書
【補正対象項目名】００４２
【補正方法】変更
【補正の内容】
【００４２】
第４発明にあっては、記録媒体は、他の通信装置から該他の通信装置を識別する通信装置識別情報を取得し、取得した通信装置識別情報を記録する。また、記録媒体は、その都度異なる発信番号を生成する。一の通信装置は、所定の場所に設置された記録媒体から該記録媒体が記録した通信装置識別情報、該記録媒体が生成した発信番号及び該記録媒体を識別する媒体識別情報を取得する。前記通信装置は、自身及び他の通信装置の通信装置識別情報と取得した媒体識別情報とを含む識別情報、及び取得した発信番号を在所記憶装置へ送信する。前記在所記憶装置は、予め記録媒体の在所を特定する場所情報と媒体識別情報とを関連付けて記憶してあるとともに両情報の関連付けの有効無効を示す有効情報を記憶してある。また、前記在所記憶装置は、過去に受信した発信番号を記憶してある。前記在所記憶装置は、まず受信した媒体識別情報に対して有効な場所情報が記憶されているか
否かを判定する。有効な場所情報が記憶されている場合、前記在所記憶装置は、受信した媒体識別情報が有効であると判定し、受信した発信番号に対して同一の発信番号が記憶されていないか否かを判定する。同一の発信番号が記憶されていない場合前記在所記憶装置は、受信した発信番号が有効であると判定する。前記記録媒体の在所における前記一の通信装置及び他の通信装置の在不在を示す在不在情報を前記通信装置で作成し、該通信装置は、作成した在不在情報を前記在所記憶装置へ送信し、前記在所記憶装置は、送信された在不在情報を受信するとともに、前記在不在情報を受信した日時を検出する。前記在所記憶装置は、受信した識別情報及び在不在情報並びに検出した日時を関連付けて記憶する。前記在所記憶装置は、受信した識別情報及び在不在情報並びに検出した日時を含む在所情報を生成する。
【手続補正２６】
【補正対象書類名】明細書
【補正対象項目名】００４５
【補正方法】削除
【補正の内容】
【手続補正２７】
【補正対象書類名】明細書
【補正対象項目名】００４６
【補正方法】削除
【補正の内容】
【手続補正２８】
【補正対象書類名】明細書
【補正対象項目名】００４７
【補正方法】変更
【補正の内容】
【００４７】
第７発明にあっては、記録媒体が、通信装置と通信するための通信情報を記録してある。記録媒体と通信する通信装置を更新する場合は、記録媒体に記録された通信情報を更新する。
【手続補正２９】
【補正対象書類名】明細書
【補正対象項目名】００４８
【補正方法】変更
【補正の内容】
【００４８】
第８発明にあっては、記録媒体が、通信装置が在所記憶装置と通信するための通信手段を備える。通信装置は、前記通信手段に基づいて前記在所記憶装置と通信をする。
【手続補正３０】
【補正対象書類名】明細書
【補正対象項目名】００４９
【補正方法】変更
【補正の内容】
【００４９】
第９発明にあっては、計時手段は、例えば、前記取得手段が媒体識別情報を取得することができる時点で第１の時間を計時する。禁止手段は、前記第１の時間以内に、前記取得手段が媒体識別情報を取得したか否かを判定し、前記第１の時間以内に媒体識別情報を取得しない場合に、前記取得手段が媒体識別情報を取得することを禁止する。これにより、取得手段は、前記第１の時間以内であれば、媒体識別情報を正規のものとして取得し、前記第１の時間を経過した場合には、不正に取得される可能性があるとして、前記禁止手段は、媒体識別情報の取得を禁止する。
【手続補正３１】
【補正対象書類名】明細書
【補正対象項目名】００５０
【補正方法】変更
【補正の内容】
【００５０】
第１０発明にあっては、計時手段は、例えば、前記通信装置の送信手段が在不在情報を送信することができる時点で第２の時間を計時する。禁止手段は、前記第２の時間以内に、前記在不在情報受信手段が在不在情報を受信したか否かを判定し、前記第２の時間以内に在不在情報を受信しない場合に、前記在不在情報受信手段が在不在情報を受信することを禁止する。これにより、在不在情報受信手段は、前記第２の時間以内であれば、在不在情報を正規のものとして受信し、前記第２の時間を経過した場合には、不正に生成して送信される可能性があるとして、前記禁止手段は、在不在情報の受信を禁止する。
【手続補正３２】
【補正対象書類名】明細書
【補正対象項目名】００５１
【補正方法】変更
【補正の内容】
【００５１】
第１１発明にあっては、計時手段は、例えば、前記作成手段が在不在情報を作成することができる時点で第３の時間を計時する。禁止手段は、前記第３の時間以内に、前記作成手段が在不在情報を作成したか否かを判定し、前記第３の時間以内に在不在情報を作成しない場合に、前記作成手段が在不在情報を作成することを禁止する。これにより、作成手段は、前記第３の時間以内であれば、在不在情報を正規のものとして作成し、前記第３の時間を経過した場合には、不正に作成される可能性があるとして、前記禁止手段は、在不在情報の作成を禁止する。
【手続補正３３】
【補正対象書類名】明細書
【補正対象項目名】００５２
【補正方法】変更
【補正の内容】
【００５２】
第１発明、第１２発明、第１３発明及び第１４発明にあっては、媒体識別情報を記録した記録媒体を、所定の場所に設置しておくことにより、従来に比較して安価な構成で、作業場所の状況に拘わらず、通信装置の在所を記憶することができる。また、記録媒体の在所を特定する場所情報と関連付けられた媒体識別情報及び発信番号に基づいて照合された場合に、記録媒体の在所における通信装置の在不在を示す在不在情報を作成する作成手段を備えることにより、記録媒体を不正に使用した場合、または記録媒体を使用せずに所定のＵＲＬに直接アクセスした場合を排除することができるとともに、通信装置の在所を確実に確認することができる。また、前記在不在情報を受信した日時、及び識別情報を関連付けて記憶することにより、通信装置の在所を正確に記録することができ、リアルタイムで在所情報を把握することができる。
【手続補正３４】
【補正対象書類名】明細書
【補正対象項目名】００５３
【補正方法】変更
【補正の内容】
【００５３】
第２発明にあっては、媒体識別情報を記録した記録媒体を、所定の場所に設置しておくことにより、従来に比較して安価な構成で、作業場所の状況に拘わらず、通信装置の在所を記憶することができる。また、通信装置に関連した属性に応じて、通信装置で表示させる画面の画面情報を生成することにより、作業者、監督者などの通信装置を携帯するユー
ザに応じて表示する画面を変更することができ、ユーザによる異なる処理を画面上で容易に操作することができる。また、ユーザに応じて、ユーザに対して伝達したいメッセージなどを変更することもでき、異なる場所で作業するユーザに対して必要な情報を確実に伝えることができるとともに、ユーザの利便性を向上することができる。また、記録媒体の在所を特定する場所情報と関連付けられた媒体識別情報及び発信番号に基づいて照合された場合に、記録媒体の在所における通信装置の在不在を示す在不在情報を作成する作成手段を備えることにより、記録媒体を不正に使用した場合、または記録媒体を使用せずに所定のＵＲＬに直接アクセスした場合を排除することができるとともに、通信装置の在所を確実に確認することができる。また、前記在不在情報を受信した日時、及び識別情報を関連付けて記憶することにより、通信装置の在所を正確に記録することができ、リアルタイムで在所情報を把握することができる。
【手続補正３５】
【補正対象書類名】明細書
【補正対象項目名】００５４
【補正方法】変更
【補正の内容】
【００５４】
第３発明にあっては、記録媒体を所定の場所に設置し、該記録媒体を用いて場所情報を選択して該場所情報と媒体識別情報とを関連付けて記憶することにより、記録媒体と該記録媒体が設置された場所との関連付けを確実にすることができ、誤った場所に基づいて出退勤情報が生成されることを防止することができる。また、通信装置で場所情報を選択することにより、一の場所で使用済になった記録媒体を別の場所で使用することが容易になり、記録媒体を有効利用することができる。また、媒体識別情報を記録した記録媒体を、所定の場所に設置しておくことにより、従来に比較して安価な構成で、作業場所の状況に拘わらず、通信装置の在所を記憶することができる。また、記録媒体の在所を特定する場所情報と関連付けられた媒体識別情報及び発信番号に基づいて照合された場合に、記録媒体の在所における通信装置の在不在を示す在不在情報を作成する作成手段を備えることにより、記録媒体を不正に使用した場合、または記録媒体を使用せずに所定のＵＲＬに直接アクセスした場合を排除することができるとともに、通信装置の在所を確実に確認することができる。また、前記在不在情報を受信した日時、及び識別情報を関連付けて記憶することにより、通信装置の在所を正確に記録することができ、リアルタイムで在所情報を把握することができる。
【手続補正３６】
【補正対象書類名】明細書
【補正対象項目名】００５５
【補正方法】変更
【補正の内容】
【００５５】
第４発明にあっては、媒体識別情報を記録した記録媒体を、所定の場所に設置しておくことにより、従来に比較して安価な構成で、作業場所の状況に拘わらず、通信装置の在所を記憶することができる。また、記録媒体の在所を特定する場所情報と関連付けられた媒体識別情報及び発信番号に基づいて照合された場合に、記録媒体の在所における通信装置の在不在を示す在不在情報を作成する作成手段を備えることにより、記録媒体を不正に使用した場合、または記録媒体を使用せずに所定のＵＲＬに直接アクセスした場合を排除することができるとともに、通信装置の在所を確実に確認することができる。また、通信装置から取得した通信装置識別情報を記録媒体で記録し、記録した通信装置識別情報を通信装置で取得することにより、複数のユーザが同一時間帯に作業を開始又は終了する場合に、各ユーザが携帯する通信装置の通信装置識別情報を一旦記録媒体で記録し、通信装置で、前記記録媒体に記録された複数の通信装置の通信装置識別情報に基づいて一括して在不在情報を作成することができる。また、前記在不在情報を受信した日時、及び識別情報を
関連付けて記憶することにより、通信装置の在所を正確に記録することができ、リアルタイムで在所情報を把握することができる。
【手続補正３７】
【補正対象書類名】明細書
【補正対象項目名】００５８
【補正方法】削除
【補正の内容】
【手続補正３８】
【補正対象書類名】明細書
【補正対象項目名】００５９
【補正方法】削除
【補正の内容】
【手続補正３９】
【補正対象書類名】明細書
【補正対象項目名】００６０
【補正方法】変更
【補正の内容】
【００６０】
第７発明にあっては、通信装置と通信するための通信情報を更新することにより、新機種の通信装置に対応した通信情報に更新することができ、記録媒体を新機種の通信装置でも使用することができ、記録媒体を有効に利用することができる。
【手続補正４０】
【補正対象書類名】明細書
【補正対象項目名】００６１
【補正方法】変更
【補正の内容】
【００６１】
第８発明にあっては、記録媒体に備えられた通信手段に基づいて、通信装置は在所記憶装置と通信することにより、通信装置に通信手段を設ける必要がなく、容易に在所記憶装置と通信することができる。
【手続補正４１】
【補正対象書類名】明細書
【補正対象項目名】００６２
【補正方法】変更
【補正の内容】
【００６２】
第９発明にあっては、第１の時間以内に媒体識別情報を取得しない場合に、該媒体識別情報の取得を禁止する禁止手段を備えることにより、不正に取得される可能性がある媒体識別情報の取得を禁止して、不正なアクススを防止することができる。
【手続補正４２】
【補正対象書類名】明細書
【補正対象項目名】００６３
【補正方法】変更
【補正の内容】
【００６３】
第１０発明にあっては、第２の時間以内に在不在情報を受信しない場合に、該在不在情報の受信を禁止する禁止手段を備えることにより、不正に生成、送信される可能性がある在不在情報の受信を禁止して、不正なアクススを防止することができる。
【手続補正４３】
【補正対象書類名】明細書
【補正対象項目名】００６４
【補正方法】変更
【補正の内容】
【００６４】
第１１発明にあっては、第３の時間以内に在不在情報を作成しない場合に、該在不在情報の作成を禁止する禁止手段を備えることにより、不正に作成される可能性がある在不在情報の作成を禁止して、不正なアクススを防止することができる。